(57)【特許請求の範囲】
【請求項１】
近接サービスＰｒｏＳｅ情報送信方法であって、前記方法は、
第２のＰｒｏＳｅエンティティによって、第２の端末によって送信される第５のメッセージを受信する段階であって、前記第５のメッセージは前記第２のＰｒｏＳｅエンティティに第４のコードワードを取得するよう命令するために使用され、前記第４のコードワードは第１のＰｒｏＳｅエンティティによって第１の端末に割り当てられるコードワードであり、前記第１のＰｒｏＳｅエンティティは前記第１の端末のホーム公衆移動通信ネットワークＨＰＬＭＮ内のＰｒｏＳｅエンティティであり、前記第２のＰｒｏＳｅエンティティは前記第２の端末のＨＰＬＭＮ内のＰｒｏＳｅエンティティである、段階と、
前記第２のＰｒｏＳｅエンティティによって、前記第４のコードワードを取得する段階と、
前記第２のＰｒｏＳｅエンティティによって、第６のメッセージを前記第２の端末に送信する段階であって、前記第６のメッセージは前記第４のコードワードを保持する、段階と、
前記第２のＰｒｏＳｅエンティティによって、前記第２の端末によって送信される第１のメッセージを受信する段階であって、前記第１のメッセージは前記第２のＰｒｏＳｅエンティティに第２の識別情報を取得するよう命令するために使用され、前記第２の識別情報は第１のアプリケーションサーバによって第１のアプリケーションユーザに割り当てられるアプリケーションユーザ識別情報であり、前記第１のアプリケーションユーザは前記第１の端末の第１のアプリケーションのユーザであり、前記第１のアプリケーションサーバは前記第１のアプリケーションのアプリケーションサーバである、段階と、
前記第２のＰｒｏＳｅエンティティによって、前記第２の識別情報を取得する段階と、
前記第２のＰｒｏＳｅエンティティによって、第２のメッセージを前記第２の端末に送信する段階であって、前記第２のメッセージは前記第２の識別情報を保持し、前記第２の識別情報は前記第２の端末によって検出される前記第１のアプリケーションユーザを示すために使用され、
前記第１のメッセージは前記第４のコードワードおよび第１のアプリケーション識別情報を保持し、前記第１のアプリケーション識別情報は前記第１のアプリケーションのアプリケーション識別情報である、
近接サービスＰｒｏＳｅ情報送信方法。
【請求項２】
前記第２のメッセージは前記第１のアプリケーション識別情報をさらに保持し、前記第１のアプリケーション識別情報は前記第２の識別情報に対応する前記第１のアプリケーションを示すために使用される、請求項１に記載の近接サービスＰｒｏＳｅ情報送信方法。
【請求項３】
前記第２のＰｒｏＳｅエンティティによって、前記第２の識別情報を取得する前記段階は、
前記第２のＰｒｏＳｅエンティティによって、第３のメッセージを前記第１のＰｒｏＳｅエンティティに送信する段階であって、前記第３のメッセージは前記第４のコードワードおよび前記第１のアプリケーション識別情報を保持し、その結果、前記第１のＰｒｏＳｅエンティティは前記第４のコードワードおよび前記第１のアプリケーション識別情報に対応する前記第２の識別情報を取得する、段階と、
前記第２のＰｒｏＳｅエンティティによって、前記第１のＰｒｏＳｅエンティティによって送信される第４のメッセージを受信する段階であって、前記第４のメッセージは前記第２の識別情報を保持する、段階と、を含む、請求項２に記載の近接サービスＰｒｏＳｅ情報送信方法。
【請求項４】
前記第５のメッセージは第１の情報と、第４の識別情報と、前記第１のアプリケーション識別情報と、を保持し、前記第１の情報は第３の識別情報または第６の識別情報を含み、前記第３の識別情報は前記第２のＰｒｏＳｅエンティティによって前記第２の端末に割り当てられる一時的な端末識別情報であり、前記第６の識別情報は前記第２の端末の端末識別情報であり、前記第４の識別情報は前記第１のアプリケーションサーバによって第２のアプリケーションユーザに割り当てられるアプリケーションユーザ識別情報であり、前記第２のアプリケーションユーザは前記第２の端末の前記第１のアプリケーションのユーザであり、前記第１のアプリケーション識別情報は前記第１のアプリケーションの前記アプリケーション識別情報であり、
前記第２のＰｒｏＳｅエンティティによって、前記第４のコードワードを取得する前記段階は、
前記第２のＰｒｏＳｅエンティティによって、前記第１のアプリケーション識別情報に従い、第７のメッセージを前記第１のアプリケーションサーバに送信する段階であって、前記第７のメッセージは前記第４の識別情報を保持する、段階と、
前記第２のＰｒｏＳｅエンティティによって、前記第１のアプリケーションサーバによって送信される第８のメッセージを受信する段階であって、前記第８のメッセージは第１の識別情報を保持し、前記第１の識別情報は前記第１のＰｒｏＳｅエンティティによって前記第１の端末に割り当てられる一時的な端末識別情報である、段階と、
前記第２のＰｒｏＳｅエンティティによって、第９のメッセージを前記第１のＰｒｏＳｅエンティティに送信する段階であって、前記第９のメッセージは前記第１の識別情報を保持する、段階と、
前記第２のＰｒｏＳｅエンティティによって、前記第１のＰｒｏＳｅエンティティによって送信される第１０のメッセージを受信する段階であって、前記第１０のメッセージは前記第４のコードワードを保持する、段階と、を含む、請求項１から３のいずれか一項に記載の近接サービスＰｒｏＳｅ情報送信方法。
【請求項５】
近接サービスＰｒｏＳｅ情報送信方法であって、前記方法は、
第２の端末によって、第１の端末によってブロードキャストされる第４のコードワードを取得する段階であって、前記第４のコードワードは第１のＰｒｏＳｅエンティティによって前記第１の端末に割り当てられるコードワードであり、前記第１のＰｒｏＳｅエンティティは前記第１の端末のホーム公衆移動通信ネットワークＨＰＬＭＮ内のＰｒｏＳｅエンティティである、段階と、
前記第４のコードワードが事前格納されたコードワードに合致する場合、前記第２の端末によって、第１のメッセージを第２のＰｒｏＳｅエンティティに送信する段階であって、前記第１のメッセージは前記第４のコードワードおよび第１のアプリケーション識別情報を保持し、前記第１のアプリケーション識別情報は第１のアプリケーションのアプリケーション識別情報であり、前記第２のＰｒｏＳｅエンティティは前記第２の端末のＨＰＬＭＮ内のＰｒｏＳｅエンティティである、段階と、
前記第２の端末によって、前記第２のＰｒｏＳｅエンティティによって送信される第２のメッセージを受信する段階であって、前記第２のメッセージは第２の識別情報を保持し、前記第２の識別情報は第１のアプリケーションサーバによって第１のアプリケーションユーザに割り当てられるアプリケーションユーザ識別情報であり、前記第１のアプリケーションユーザは前記第１の端末の前記第１のアプリケーションのユーザであり、前記第１のアプリケーションサーバは前記第１のアプリケーションのアプリケーションサーバである、段階と、
前記第２の端末によって、前記第２の識別情報に従い、前記第１のアプリケーションユーザを検出する段階と、を備える、近接サービスＰｒｏＳｅ情報送信方法。
【請求項６】
前記第２のメッセージは前記第１のアプリケーション識別情報をさらに保持し、前記第１のアプリケーション識別情報は前記第２の識別情報に対応する前記第１のアプリケーションを示すために使用される、請求項５に記載の近接サービスＰｒｏＳｅ情報送信方法。
【請求項７】
前記第４のコードワードが前記事前格納されたコードワードに合致する場合、および第２の端末によって、第１の端末によってブロードキャストされる第４のコードワードを取得する前記段階の前に、
前記第２の端末によって、第３のメッセージを前記第２のＰｒｏＳｅエンティティに送信する段階であって、前記第３のメッセージは第３の識別情報および前記第１のアプリケーション識別情報を保持し、前記第３の識別情報は前記第２のＰｒｏＳｅエンティティによって前記第２の端末に割り当てられる一時的な端末識別情報である、段階と、
前記第２の端末によって、前記第２のＰｒｏＳｅエンティティによって送信される第４のメッセージを受信する段階であって、前記第４のメッセージは前記第４のコードワードを保持する、段階と、をさらに備える、請求項５または６に記載の近接サービスＰｒｏＳｅ情報送信方法。
【請求項８】
受信ユニット、取得ユニット、送信ユニットと、を備える、第２の近接サービスＰｒｏＳｅエンティティ（第２のＰｒｏＳｅエンティティ）であって、
前記受信ユニットは第２の端末によって送信される第１のメッセージを受信し、前記第１のメッセージは前記第２のＰｒｏＳｅエンティティに第２の識別情報を取得するよう命令するために使用され、前記第２の識別情報は第１のアプリケーションサーバによって第１のアプリケーションユーザに割り当てられるアプリケーションユーザ識別情報であり、前記第１のアプリケーションユーザは第１の端末の第１のアプリケーションのユーザであり、前記第１のアプリケーションサーバは前記第１のアプリケーションのアプリケーションサーバであり、前記第２のＰｒｏＳｅエンティティは前記第２の端末のホーム公衆移動通信ネットワークＨＰＬＭＮ内のＰｒｏＳｅエンティティであり、
前記取得ユニットは、前記第２の識別情報を取得し、
前記送信ユニットは、第２のメッセージを前記第２の端末に送信し、前記第２のメッセージは前記第２の識別情報を保持し、前記第２の識別情報は前記第２の端末によって検出される前記第１のアプリケーションユーザを示すために使用され、
前記受信ユニットはさらに、前記第２の端末によって送信される前記第１のメッセージを受信する前に、前記第２の端末によって送信される第５のメッセージを受信し、前記第５のメッセージは前記第２のＰｒｏＳｅエンティティに第４のコードワードを取得するよう命令するために使用され、前記第４のコードワードは第１のＰｒｏＳｅエンティティによって前記第１の端末に割り当てられるコードワードであり、前記第１のＰｒｏＳｅエンティティは前記第１の端末のＨＰＬＭＮ内のＰｒｏＳｅエンティティであり、
前記取得ユニットはさらに、前記第４のコードワードを取得し、
前記送信ユニットはさらに、第６のメッセージを前記第２の端末に送信し、前記第６のメッセージは前記第４のコードワードを保持し、その結果、前記第２の端末は前記第４のコードワードを格納し、
前記第１のメッセージは前記第４のコードワードおよび第１のアプリケーション識別情報を保持し、前記第１のアプリケーション識別情報は前記第１のアプリケーションのアプリケーション識別情報である、
第２の近接サービスＰｒｏＳｅエンティティ。
【請求項９】
前記取得ユニットは具体的には、
第３のメッセージを前記第１のＰｒｏＳｅエンティティに送信し、前記第３のメッセージは前記第４のコードワードおよび前記第１のアプリケーション識別情報を保持し、前記第３のメッセージは前記第１のＰｒｏＳｅエンティティに前記第４のコードワードおよび前記第１のアプリケーション識別情報に対応する前記第２の識別情報を取得するよう命令するために使用され、
前記第１のＰｒｏＳｅエンティティによって送信される第４のメッセージを受信し、前記第４のメッセージは前記第２の識別情報を保持する、請求項８に記載の第２の近接サービスＰｒｏＳｅエンティティ。
【請求項１０】
前記第５のメッセージは第１の情報と、第４の識別情報と、前記第１のアプリケーション識別情報と、を保持し、前記第１の情報は第３の識別情報または第６の識別情報を含み、前記第３の識別情報は前記第２のＰｒｏＳｅエンティティによって前記第２の端末に割り当てられる一時的な端末識別情報であり、前記第６の識別情報は前記第２の端末の端末識別情報であり、前記第４の識別情報は前記第１のアプリケーションサーバによって第２のアプリケーションユーザに割り当てられるアプリケーションユーザ識別情報であり、前記第２のアプリケーションユーザは前記第２の端末の前記第１のアプリケーションのユーザであり、前記第１のアプリケーション識別情報は前記第１のアプリケーションの前記アプリケーション識別情報であり、
前記取得ユニットは具体的には、
前記第１のアプリケーション識別情報に従い、第７のメッセージを前記第１のアプリケーションサーバに送信し、前記第７のメッセージは前記第４の識別情報を保持し、
前記第１のアプリケーションサーバによって送信される第８のメッセージを受信し、前記第８のメッセージは第１の識別情報を保持し、前記第１の識別情報は前記第１のＰｒｏＳｅエンティティによって前記第１の端末に割り当てられる一時的な端末識別情報であり、
第９のメッセージを前記第１のＰｒｏＳｅエンティティに送信し、前記第９のメッセージは前記第１の識別情報を保持し、
前記第１のＰｒｏＳｅエンティティによって送信される第１０のメッセージを受信し、前記第１０のメッセージは前記第４のコードワードを保持する、請求項８又は９に記載の第２の近接サービスＰｒｏＳｅエンティティ。
【請求項１１】
取得ユニットと、送信ユニットと、受信ユニットと、検出ユニットと、を備える第２の端末であって、
前記取得ユニットは、第１の端末によってブロードキャストされる第４のコードワードを取得し、前記第４のコードワードは第１のＰｒｏＳｅエンティティによって前記第１の端末に割り当てられるコードワードであり、前記第１のＰｒｏＳｅエンティティは前記第１の端末のホーム公衆移動通信ネットワークＨＰＬＭＮ内のＰｒｏＳｅエンティティであり、
前記送信ユニットは、前記第４のコードワードが事前格納されたコードワードに合致する場合、第１のメッセージを第２のＰｒｏＳｅエンティティに送信し、前記第１のメッセージは前記第４のコードワードおよび第１のアプリケーション識別情報を保持し、前記第１のアプリケーション識別情報は第１のアプリケーションのアプリケーション識別情報であり、前記第２のＰｒｏＳｅエンティティは前記第２の端末のＨＰＬＭＮ内のＰｒｏＳｅエンティティであり、
前記受信ユニットは、前記第２のＰｒｏＳｅエンティティによって送信される第２のメッセージを受信し、前記第２のメッセージは第２の識別情報を保持し、前記第２の識別情報は第１のアプリケーションサーバによって第１のアプリケーションユーザに割り当てられるアプリケーションユーザ識別情報であり、前記第１のアプリケーションユーザは前記第１の端末の前記第１のアプリケーションのユーザであり、前記第１のアプリケーションサーバは前記第１のアプリケーションのアプリケーションサーバであり、
前記検出ユニットは、前記第２の識別情報に従い、前記第１のアプリケーションユーザを検出する、第２の端末。
【請求項１２】
前記送信ユニットはさらに、前記第４のコードワードが前記事前格納されたコードワードに合致する場合、および前記取得ユニットが前記第１の端末によってブロードキャストされる前記第４のコードワードを取得する前に、第３のメッセージを前記第２のＰｒｏＳｅエンティティに送信し、前記第３のメッセージは第３の識別情報および前記第１のアプリケーション識別情報を保持し、前記第３の識別情報は前記第２のＰｒｏＳｅエンティティによって前記第２の端末に割り当てられる一時的な端末識別情報であり、
前記受信ユニットはさらに、前記第２のＰｒｏＳｅエンティティによって送信される第４のメッセージを受信し、前記第４のメッセージは前記第４のコードワードを保持する、請求項１１に記載の第２の端末。
【請求項１３】
前記送信ユニットはさらに、前記第４のコードワードが前記事前格納されたコードワードに合致する場合、および前記取得ユニットが前記第１の端末によってブロードキャストされる前記第４のコードワードを取得する前に、第３のメッセージを前記第２のＰｒｏＳｅエンティティに送信し、前記第３のメッセージは第１の情報と、第４の識別情報と、前記第１のアプリケーション識別情報と、を保持し、前記第１の情報は第３の識別情報または第６の識別情報を含み、前記第３の識別情報は前記第２のＰｒｏＳｅエンティティによって前記第２の端末に割り当てられる一時的な端末識別情報であり、前記第６の識別情報は前記第２の端末の端末識別情報であり、前記第４の識別情報は前記第１のアプリケーションサーバによって第２のアプリケーションユーザに割り当てられるアプリケーションユーザ識別情報であり、前記第２のアプリケーションユーザは前記第２の端末の前記第１のアプリケーションのユーザであり、
前記受信ユニットはさらに、前記第２のＰｒｏＳｅエンティティによって送信される第４のメッセージを受信し、前記第４のメッセージは前記第４のコードワードを保持する、請求項１１に記載の第２の端末。
【発明の詳細な説明】
【技術分野】
【０００１】
本願は、２０１４年６月３０日に中国特許庁に出願された中国特許出願ＰＣＴ／ＣＮ２０１４／０８１２９２号（発明の名称「ＰｒｏＳｅ情報送信方法、端末、および通信デバイス」）に基づく優先権を主張し、当該出願は本明細書に参照によりその全体が組み込まれる。
【０００２】
本発明は通信分野に関し、特に、近接サービス（Ｐｒｏｘｉｍｉｔｙ  Ｓｅｒｖｉｃｅｓ，ＰｒｏＳｅ）情報送信方法、ユーザ端末（Ｕｓｅｒ  Ｅｑｕｉｐｍｅｎｔ，ＵＥ）、および通信デバイスに関する。
【背景技術】
【０００３】
従来のモバイルネットワークにおいては、複数の端末間のデータ通信パスは、コアネットワークエンティティサービス提供ゲートウェイ（Ｓｅｒｖｉｎｇ  Ｇａｔｅｗａｙ，ＳＧＷ）／パケットデータネットワークゲートウェイ（Ｐａｃｋｅｔ  Ｄａｔａ  Ｎｅｔｗｏｒｋ  Ｇａｔｅｗａｙ，ＰＧＷ）を通過する必要がある。従って、近接する２つの端末間でデータが転送される場合でさえ、送信は依然としてコアネットワークを通過する必要があり、ネットワーク送信帯域幅への要求が比較的大きくなり、送信効率が比較的低くなる結果をもたらす。
【０００４】
当該問題を解決するために、ＰｒｏＳｅが提案されている。ＰｒｏＳｅは、複数の端末がデータ交換を互いに直接実行すること、またはデータ交換をコアネットワークエンティティＳＧＷ／ＰＧＷを使用することによってではなく、ベースステーションを使用することによってのみ実行することを要求する。従って、近接する複数の端末間の通信効率は改善の可能性がある。
【０００５】
複数の端末間での直接通信を実装するには、２つの端末は相互検出を実行する必要がある。いくつかのシナリオにおいて、２つの端末間での相互検出は２人のアプリケーションユーザ間での相互検出に変換可能である。すなわち、２つの端末における同一アプリケーションの複数のアプリケーションユーザが相互検出を実装する場合、２つの端末は互いに検出済みであるとみなし得る。従来技術においては、２人のアプリケーションユーザが相互検出を実行する場合、以下の問題が存在する。
【０００６】
複数の端末間での相互検出プロセスにおいて、第２の端末は、第１の端末のＡＰＰ  Ｕｓｅｒ  ＩＤと当該ＡＰＰ  Ｕｓｅｒ  ＩＤの対応するコードワードとの間の対応関係を格納済みであり、従って、第１の端末によってブロードキャストされた、第１の端末のアプリケーションユーザ識別情報（Ａｐｐｌｉｃａｔｉｏｎ  Ｕｓｅｒ  Ｉｄｅｎｔｉｔｙ，  ＡＰＰ  Ｕｓｅｒ  ＩＤ）のコードワードをモニタリングにより取得した後、第２の端末は第１の端末を直接検出できるが、ネットワークは、２人のアプリケーションユーザが互いに検出済みであるというイベントを認識できず、それは、事業者の経費およびネットワークイベントのモニタリングにとって好ましくない。
【発明の概要】
【０００７】
本発明の複数の実施形態は、ＰｒｏＳｅ情報送信方法、端末、および通信デバイスを提供し、それによって、ネットワークが複数のアプリケーションユーザが互いを検出するイベントを認識できないという問題を解決できる。
【０００８】
上記の目的を達成すべく、本発明の複数の実施形態は、以下の解決手段を提供する。
【０００９】
第１の態様によると、近接サービスＰｒｏＳｅ情報送信方法が提供され、上記方法は、第２のＰｒｏＳｅエンティティによって、第２の端末によって送信される第１のメッセージを受信する段階であって、上記第１のメッセージは上記第２のＰｒｏＳｅエンティティに第２の識別情報を取得するよう命令するために使用され、上記第２の識別情報は第１のアプリケーションサーバによって第１のアプリケーションユーザに割り当てられるアプリケーションユーザ識別情報であり、上記第１のアプリケーションユーザは第１の端末の第１のアプリケーションのユーザであり、上記第１のアプリケーションサーバは上記第１のアプリケーションのアプリケーションサーバであり、上記第２のＰｒｏＳｅエンティティは上記第２の端末のホーム公衆移動通信ネットワークＨＰＬＭＮ内のＰｒｏＳｅエンティティである、段階と、上記第２のＰｒｏＳｅエンティティによって、上記第２の識別情報を取得する段階と、上記第２のＰｒｏＳｅエンティティによって、第２のメッセージを上記第２の端末に送信する段階であって、上記第２のメッセージは上記第２の識別情報を保持し、上記第２の識別情報は上記第２の端末によって検出される上記第１のアプリケーションユーザを示すために使用される、段階と、を備える。
【００１０】
第１の態様に関し、第１の態様の第１の可能な実装方式において、上記第２のメッセージは第１のアプリケーション識別情報をさらに保持し、上記第１のアプリケーション識別情報は上記第１のアプリケーションのアプリケーション識別情報であり、上記第１のアプリケーション識別情報は上記第２の識別情報に対応する上記第１のアプリケーションを示すために使用される。
【００１１】
第１の態様または第１の態様の第１の可能な実装方式に関し、第１の態様の第２の可能な実装方式において、上記第１のメッセージは第４のコードワードおよび上記第１のアプリケーション識別情報を保持し、上記第４のコードワードは第１のＰｒｏＳｅエンティティによって上記第１の端末に割り当てられるコードワードであり、上記第１のアプリケーション識別情報は上記第１のアプリケーションの上記アプリケーション識別情報であり、上記第１のＰｒｏＳｅエンティティは上記第１の端末のＨＰＬＭＮ内のＰｒｏＳｅエンティティであり、上記第２のＰｒｏＳｅエンティティによって、上記第２の識別情報を取得する上記段階は、上記第２のＰｒｏＳｅエンティティによって、第３のメッセージを上記第１のＰｒｏＳｅエンティティに送信する段階であって、上記第３のメッセージは上記第４のコードワードおよび上記第１のアプリケーション識別情報を保持し、その結果、上記第１のＰｒｏＳｅエンティティは上記第４のコードワードおよび上記第１のアプリケーション識別情報に対応する上記第２の識別情報を取得する、段階と、上記第２のＰｒｏＳｅエンティティによって、上記第１のＰｒｏＳｅエンティティによって送信される第４のメッセージを受信する段階であって、上記第４のメッセージは上記第２の識別情報を保持する、段階と、を含む。
【００１２】
第１の態様の第２の可能な実装方式に関し、第１の態様の第３の可能な実装方式において、上記第４のメッセージは上記第１のアプリケーション識別情報をさらに保持し、上記第１のアプリケーション識別情報は上記第２の識別情報に対応する上記第１のアプリケーションを示すために使用される。
【００１３】
第１の態様から第１の態様の第３の可能な実装方式までに関し、第１の態様の第４の可能な実装方式において、第２のＰｒｏＳｅエンティティによって、第２の端末によって送信される第１のメッセージを受信する上記段階の前に、上記方法は、上記第２のＰｒｏＳｅエンティティによって、上記第２の端末によって送信される第５のメッセージを受信する段階であって、上記第５のメッセージは上記第２のＰｒｏＳｅエンティティに上記第４のコードワードを取得するよう命令するために使用され、上記第４のコードワードは上記第１のＰｒｏＳｅエンティティによって上記第１の端末に割り当てられる上記コードワードであり、上記第１のＰｒｏＳｅエンティティは上記第１の端末の上記ＨＰＬＭＮ内の上記ＰｒｏＳｅエンティティである、段階と、上記第２のＰｒｏＳｅエンティティによって、上記第４のコードワードを取得する段階と、上記第２のＰｒｏＳｅエンティティによって、第６のメッセージを上記第２の端末に送信する段階であって、上記第６のメッセージは上記第４のコードワードを保持する、段階と、をさらに備える。
【００１４】
第１の態様の第４の可能な実装方式に関し、第１の態様の第５の可能な実装方式において、上記第５のメッセージは第３の識別情報および上記第１のアプリケーション識別情報を保持し、上記第３の識別情報は上記第２のＰｒｏＳｅエンティティによって上記第２の端末に割り当てられる一時的な端末識別情報であり、上記第１のアプリケーション識別情報は上記第１のアプリケーションの上記アプリケーション識別情報であり、上記第２のＰｒｏＳｅエンティティによって、上記第４のコードワードを取得する上記段階は、上記第２のＰｒｏＳｅエンティティによって、上記第１のアプリケーション識別情報に従い、第７のメッセージを上記第１のアプリケーションサーバに送信する段階であって、上記第７のメッセージは上記第３の識別情報を保持する、段階と、上記第２のＰｒｏＳｅエンティティによって、上記第１のアプリケーションサーバによって送信される第８のメッセージを受信する段階であって、上記第８のメッセージは第１の識別情報を保持し、上記第１の識別情報は上記第１のＰｒｏＳｅエンティティによって上記第１の端末に割り当てられる一時的な端末識別情報である、段階と、上記第２のＰｒｏＳｅエンティティによって、第９のメッセージを上記第１のＰｒｏＳｅエンティティに送信する段階であって、上記第９のメッセージは上記第１の識別情報を保持する、段階と、上記第２のＰｒｏＳｅエンティティによって、上記第１のＰｒｏＳｅエンティティによって送信される第１０のメッセージを受信する段階であって、上記第１０のメッセージは上記第４のコードワードを保持する、段階と、を含む。
【００１５】
第１の態様の第４の可能な実装方式に関し、第１の態様の第６の可能な実装方式において、上記第５のメッセージは第１の情報と、第４の識別情報と、上記第１のアプリケーション識別情報と、を保持し、上記第１の情報は第３の識別情報または第６の識別情報を含み、上記第３の識別情報は上記第２のＰｒｏＳｅエンティティによって上記第２の端末に割り当てられる一時的な端末識別情報であり、上記第６の識別情報は上記第２の端末の端末識別情報であり、上記第４の識別情報は上記第１のアプリケーションサーバによって第２のアプリケーションユーザに割り当てられるアプリケーションユーザ識別情報であり、上記第２のアプリケーションユーザは上記第２の端末の上記第１のアプリケーションのユーザであり、上記第１のアプリケーション識別情報は上記第１のアプリケーションの上記アプリケーション識別情報であり、上記第２のＰｒｏＳｅエンティティによって、上記第４のコードワードを取得する上記段階は、上記第２のＰｒｏＳｅエンティティによって、上記第１のアプリケーション識別情報に従い、第７のメッセージを上記第１のアプリケーションサーバに送信する段階であって、上記第７のメッセージは上記第４の識別情報を保持する、段階と、上記第２のＰｒｏＳｅエンティティによって、上記第１のアプリケーションサーバによって送信される第８のメッセージを受信する段階であって、上記第８のメッセージは第１の識別情報を保持し、上記第１の識別情報は上記第１のＰｒｏＳｅエンティティによって上記第１の端末に割り当てられる一時的な端末識別情報である、段階と、上記第２のＰｒｏＳｅエンティティによって、第９のメッセージを上記第１のＰｒｏＳｅエンティティに送信する段階であって、上記第９のメッセージは上記第１の識別情報を保持する、段階と、上記第２のＰｒｏＳｅエンティティによって、上記第１のＰｒｏＳｅエンティティによって送信される第１０のメッセージを受信する段階であって、上記第１０のメッセージは上記第４のコードワードを保持する、段階と、を含む。
【００１６】
第１の態様または第１の態様の第１の可能な実装方式に関し、第１の態様の第７の可能な実装方式において、上記第１のメッセージは第１のコードワードを保持し、上記第１のコードワードは第１のＰｒｏＳｅエンティティによって上記第２の識別情報に割り当てられるコードワードであり、上記第１のＰｒｏＳｅエンティティは上記第１の端末のＨＰＬＭＮ内のＰｒｏＳｅエンティティであり、上記第２のＰｒｏＳｅエンティティによって、上記第２の識別情報を取得する上記段階は、上記第２のＰｒｏＳｅエンティティによって、上記第１のコードワードに従い、上記第２の識別情報を取得する段階を含む。
【００１７】
第１の態様の第７の可能な実装方式に関し、第１の態様の第８の可能な実装方式において、上記第２のＰｒｏＳｅエンティティによって、第２のメッセージを上記第２の端末に送信する上記段階の前に、上記方法は、上記第２のＰｒｏＳｅエンティティによって、第３のメッセージを上記第１のアプリケーションサーバに送信する段階であって、上記第３のメッセージは上記第２の識別情報を保持し、上記第２の識別情報は上記第１のアプリケーションサーバが上記第１のアプリケーションユーザのブロードキャストリクエストが許容されることを決定する基礎である、段階と、上記第２のＰｒｏＳｅエンティティによって、上記第１のアプリケーションサーバによって送信される第４のメッセージを受信する段階であって、上記第４のメッセージは上記第１のアプリケーションユーザの上記ブロードキャストリクエストが許容されることを示す、段階と、をさらに備える。
【００１８】
第１の態様の第７の可能な実装方式または第１の態様の第８の可能な実装方式に関し、第１の態様の第９の可能な実装方式において、第２のメッセージを上記第２の端末に送信する上記段階の後、上記方法は、上記第２のＰｒｏＳｅエンティティによって、第５のメッセージを上記第１のＰｒｏＳｅエンティティに送信する段階であって、上記第５のメッセージは第１の識別情報と、上記第１のアプリケーション識別情報と、第４の識別情報と、を保持し、上記第１の識別情報は上記第１のＰｒｏＳｅエンティティによって上記第１の端末に割り当てられる一時的な端末識別情報であり、上記第１のアプリケーション識別情報は上記第１のアプリケーションの上記アプリケーション識別情報であり、上記第４の識別情報は上記第１のアプリケーションサーバによって第２のアプリケーションユーザに割り当てられるアプリケーションユーザ識別情報であり、上記第２のアプリケーションユーザは上記第２の端末の上記第１のアプリケーションのユーザである、段階をさらに備える。
【００１９】
第１の態様の第７の可能な実装方式から第１の態様の第９の可能な実装方式までに関し、第１の態様の第１０の可能な実装方式において、第２のＰｒｏＳｅエンティティによって、第１のメッセージを受信する上記段階の前に、上記方法は、上記第２のＰｒｏＳｅエンティティによって、上記第２の端末によって送信される第６のメッセージを受信する段階であって、上記第６のメッセージは第３の識別情報および上記第１のアプリケーション識別情報を保持し、上記第３の識別情報は上記第２のＰｒｏＳｅエンティティによって上記第２の端末に割り当てられる一時的な端末識別情報であり、上記第１のアプリケーション識別情報は上記第１のアプリケーションの上記アプリケーション識別情報である、段階と、上記第２のＰｒｏＳｅエンティティによって、上記第３の識別情報および上記第１のアプリケーション識別情報に従い、上記第４の識別情報を決定する段階であって、上記第４の識別情報は上記第１のアプリケーションサーバによって上記第２のアプリケーションユーザに割り当てられる上記アプリケーションユーザ識別情報であり、上記第２のアプリケーションユーザは上記第２の端末の上記第１のアプリケーションの上記ユーザである、段階と、上記第２のＰｒｏＳｅエンティティによって、第７のメッセージを上記第１のアプリケーションサーバに送信する段階であって、上記第７のメッセージは上記第４の識別情報を保持する、段階と、上記第２のＰｒｏＳｅエンティティによって、上記第１のアプリケーションサーバによって送信される第８のメッセージを受信する段階であって、上記第８のメッセージは上記第１の識別情報と上記第２の識別情報との間の対応関係を保持し、上記第１の識別情報と上記第２の識別情報との間の上記対応関係は上記第４の識別情報に従い、上記第１のアプリケーションサーバによって決定され、上記第１の識別情報は上記第１のＰｒｏＳｅエンティティによって、上記第１の端末に割り当てられる上記一時的な端末識別情報である、段階と、上記第２のＰｒｏＳｅエンティティによって、第９のメッセージを上記第１のＰｒｏＳｅエンティティに送信する段階であって、上記第９のメッセージは上記第１の識別情報および上記第１のアプリケーション識別情報を保持する、段階と、上記第２のＰｒｏＳｅエンティティによって、上記第１のＰｒｏＳｅエンティティによって送信される第１０のメッセージを受信する段階であって、上記第１０のメッセージは上記第１のコードワードを保持し、上記第１のコードワードは上記第１の識別情報および上記第１のアプリケーション識別情報に従い、上記第１のＰｒｏＳｅエンティティによって決定される、段階と、上記第２のＰｒｏＳｅエンティティによって、第１１のメッセージを上記第２の端末に送信する段階であって、上記第１１のメッセージは上記第１のコードワードを保持する、段階と、をさらに備える。
【００２０】
第１の態様の第７の可能な実装方式から第１の態様の第９の可能な実装方式までに関し、第１の態様の第１１の可能な実装方式において、第２のＰｒｏＳｅエンティティによって、第１のメッセージを受信する上記段階の前に、上記方法は、上記第２のＰｒｏＳｅエンティティによって、上記第１のアプリケーションサーバによって送信される第６のメッセージを受信する段階であって、上記第６のメッセージは上記第１の識別情報および上記第２の識別情報の間の対応関係と、上記第１のアプリケーション識別情報と、第３の識別情報とを保持し、上記第１の識別情報は上記第１のＰｒｏＳｅエンティティによって上記第１の端末に割り当てられる上記一時的な端末識別情報であり、上記第１のアプリケーション識別情報は上記第１のアプリケーションの上記アプリケーション識別情報であり、上記第３の識別情報は上記第２のＰｒｏＳｅエンティティによって上記第２の端末に割り当てられる一時的な端末識別情報である、段階と、上記第２のＰｒｏＳｅエンティティによって、第７のメッセージを上記第１のＰｒｏＳｅエンティティに送信する段階であって、上記第７のメッセージは上記第１の識別情報および上記第１のアプリケーション識別情報を保持する、段階と、上記第２のＰｒｏＳｅエンティティによって、上記第１のＰｒｏＳｅエンティティによって送信される第８のメッセージを受信する段階であって、上記第８のメッセージは上記第１のコードワードを保持し、上記第１のコードワードは上記第１の識別情報および上記第１のアプリケーション識別情報に従い、上記第１のＰｒｏＳｅエンティティによって決定される、段階と、上記第２のＰｒｏＳｅエンティティによって、第９のメッセージを上記第２の端末に送信する段階であって、上記第９のメッセージは上記第１のコードワードを保持する、段階と、をさらに備える。
【００２１】
第２の態様によると、近接サービスＰｒｏＳｅ情報送信方法が提供され、上記方法は、第２の端末によって、第１の端末によってブロードキャストされる第４のコードワードを取得する段階であって、上記第４のコードワードは第１のＰｒｏＳｅエンティティによって上記第１の端末に割り当てられるコードワードであり、上記第１のＰｒｏＳｅエンティティは上記第１の端末のホーム公衆移動通信ネットワークＨＰＬＭＮ内のＰｒｏＳｅエンティティである、段階と、上記第４のコードワードが事前格納されたコードワードに合致する場合、上記第２の端末によって、第１のメッセージを第２のＰｒｏＳｅエンティティに送信する段階であって、上記第１のメッセージは上記第４のコードワードおよび第１のアプリケーション識別情報を保持し、上記第１のアプリケーション識別情報は第１のアプリケーションのアプリケーション識別情報であり、上記第２のＰｒｏＳｅエンティティは上記第２の端末のＨＰＬＭＮ内のＰｒｏＳｅエンティティである、段階と、上記第２の端末によって、上記第２のＰｒｏＳｅエンティティによって送信される第２のメッセージを受信する段階であって、上記第２のメッセージは第２の識別情報を保持し、上記第２の識別情報は第１のアプリケーションサーバによって第１のアプリケーションユーザに割り当てられるアプリケーションユーザ識別情報であり、上記第１のアプリケーションユーザは上記第１の端末の上記第１のアプリケーションのユーザであり、上記第１のアプリケーションサーバは上記第１のアプリケーションのアプリケーションサーバである、段階と、上記第２の端末によって、上記第２の識別情報に従い、上記第１のアプリケーションユーザを検出する段階と、を備える。
【００２２】
第２の態様に関し、第２の態様の第１の可能な実装方式において、上記第２のメッセージは上記第１のアプリケーション識別情報をさらに保持し、上記第１のアプリケーション識別情報は上記第２の識別情報に対応する上記第１のアプリケーションを示すために使用される。
【００２３】
第２の態様または第２の態様の第１の可能な実装方式に関し、第２の態様の第２の可能な実装方式において、上記第４のコードワードが上記事前格納されたコードワードに合致する場合、および第２の端末によって、第１の端末によってブロードキャストされる第４のコードワードを取得する上記段階の前に、上記方法は、上記第２の端末によって、第３のメッセージを上記第２のＰｒｏＳｅエンティティに送信する段階であって、上記第３のメッセージは第３の識別情報および上記第１のアプリケーション識別情報を保持し、上記第３の識別情報は上記第２のＰｒｏＳｅエンティティによって上記第２の端末に割り当てられる一時的な端末識別情報である、段階と、上記第２の端末によって、上記第２のＰｒｏＳｅエンティティによって送信される第４のメッセージを受信する段階であって、上記第４のメッセージは上記第４のコードワードを保持する、段階と、をさらに備える。
【００２４】
第２の態様または第２の態様の第１の可能な実装方式に関し、第２の態様の第３の可能な実装方式において、上記第４のコードワードが上記事前格納されたコードワードに合致する場合、および第２の端末によって、第１の端末によってブロードキャストされる第４のコードワードを取得する上記段階の前に、上記方法は、上記第２の端末によって、第３のメッセージを上記第２のＰｒｏＳｅエンティティに送信する段階であって、上記第３のメッセージは第１の情報と、第４の識別情報と、上記第１のアプリケーション識別情報と、を保持し、上記第１の情報は第３の識別情報または第６の識別情報を含み、上記第３の識別情報は上記第２のＰｒｏＳｅエンティティによって上記第２の端末に割り当てられる一時的な端末識別情報であり、上記第６の識別情報は上記第２の端末の端末識別情報であり、上記第４の識別情報は上記第１のアプリケーションサーバによって第２のアプリケーションユーザに割り当てられるアプリケーションユーザ識別情報であり、上記第２のアプリケーションユーザは上記第２の端末の上記第１のアプリケーションのユーザである、段階と、上記第２の端末によって、上記第２のＰｒｏＳｅエンティティによって送信される第４のメッセージを受信する段階であって、上記第４のメッセージは上記第４のコードワードを保持する、段階と、をさらに備える。
【００２５】
第３の態様によると、近接サービスＰｒｏＳｅ情報送信方法が提供され、上記方法は、第２の端末によって、第１の端末によってブロードキャストされる第１のコードワードを取得する段階であって、上記第１のコードワードは第１のＰｒｏＳｅエンティティによって第２の識別情報に割り当てられるコードワードであり、上記第２の識別情報は第１のアプリケーションサーバによって第１のアプリケーションユーザに割り当てられるアプリケーションユーザ識別情報であり、上記第１のアプリケーションユーザは上記第１の端末の第１のアプリケーションのユーザであり、上記第１のアプリケーションサーバは上記第１のアプリケーションのアプリケーションサーバであり、上記第１のＰｒｏＳｅエンティティは上記第１の端末のホーム公衆移動通信ネットワークＨＰＬＭＮ内のＰｒｏＳｅエンティティである、段階と、上記第１のコードワードが事前格納されたコードワードに合致する場合、上記第２の端末によって、第１のメッセージを第２のＰｒｏＳｅエンティティに送信する段階であって、上記第１のメッセージは上記第１のコードワードを保持し、上記第２のＰｒｏＳｅエンティティは上記第２の端末のＨＰＬＭＮ内のＰｒｏＳｅエンティティである、段階と、上記第２の端末によって、上記第２のＰｒｏＳｅエンティティによって送信される第２のメッセージを受信する段階であって、上記第２のメッセージは上記第２の識別情報を保持し、上記第２の識別情報は上記第１のコードワードに従い、上記第２のＰｒｏＳｅエンティティによって決定され、上記第２の識別情報は、上記第１のアプリケーションユーザを検出するよう命令するために使用される。
【００２６】
第３の態様に関し、第３の態様の第１の可能な実装方式において、上記第１のコードワードが上記事前格納されたコードワードに合致する場合、および第２の端末によって、第１の端末によってブロードキャストされる第１のコードワードを取得する上記段階の前に、上記方法は、上記第２の端末によって、第３のメッセージを上記第２のＰｒｏＳｅエンティティに送信する段階であって、上記第３のメッセージは第３の識別情報および第１のアプリケーション識別情報を保持し、上記第３の識別情報は上記第２のＰｒｏＳｅエンティティによって上記第２の端末に割り当てられる一時的な端末識別情報であり、上記第１のアプリケーション識別情報は上記第１のアプリケーションのアプリケーション識別情報である、段階と、上記第２の端末によって、上記第２のＰｒｏＳｅエンティティによって送信される第４のメッセージを受信する段階であって、上記第４のメッセージは上記第１のコードワードを保持し、上記第１のコードワードは、上記第３の識別情報および上記第１のアプリケーション識別情報に従い、上記第２のＰｒｏＳｅエンティティによって決定される、段階と、をさらに備える。
【００２７】
第３の態様に関し、第３の態様の第２の可能な実装方式において、第２の端末によって第１のコードワードを取得する上記段階の前に、上記方法は、上記第１のアプリケーションサーバがトリガされる場合、上記第２の端末によって、上記第２のＰｒｏＳｅエンティティによって送信される第３のメッセージを受信する段階であって、上記第３のメッセージは上記第１のコードワードを保持する段階をさらに備える。
【００２８】
第４の態様によると、第２の近接サービスＰｒｏＳｅエンティティが提供され、上記第２の近接サービスＰｒｏＳｅエンティティは、受信ユニット、取得ユニット、送信ユニットと、を備え、上記受信ユニットは第２の端末によって送信される第１のメッセージを受信するよう構成され、上記第１のメッセージは上記第２のＰｒｏＳｅエンティティに第２の識別情報を取得するよう命令するために使用され、上記第２の識別情報は第１のアプリケーションサーバによって第１のアプリケーションユーザに割り当てられるアプリケーションユーザ識別情報であり、上記第１のアプリケーションユーザは第１の端末の第１のアプリケーションのユーザであり、上記第１のアプリケーションサーバは上記第１のアプリケーションのアプリケーションサーバであり、上記第２のＰｒｏＳｅエンティティは上記第２の端末のホーム公衆移動通信ネットワークＨＰＬＭＮ内のＰｒｏＳｅエンティティであり、上記取得ユニットは、上記第２の識別情報を取得するよう構成され、上記送信ユニットは、第２のメッセージを上記第２の端末に送信するよう構成され、上記第２のメッセージは上記第２の識別情報を保持し、上記第２の識別情報は上記第２の端末によって検出される上記第１のアプリケーションユーザを示すために使用される。
【００２９】
第４の態様に関し、第４の態様の第１の可能な実装方式において、上記第１のメッセージは第４のコードワードおよび第１のアプリケーション識別情報を保持し、上記第４のコードワードは第１のＰｒｏＳｅエンティティによって上記第１の端末に割り当てられるコードワードであり、上記第１のアプリケーション識別情報は上記第１のアプリケーションの上記アプリケーション識別情報であり、上記第１のＰｒｏＳｅエンティティは上記第１の端末のＨＰＬＭＮ内のＰｒｏＳｅエンティティであり、上記取得ユニットは、第３のメッセージを上記第１のＰｒｏＳｅエンティティに送信するよう具体的に構成され、上記第３のメッセージは上記第４のコードワードおよび上記第１のアプリケーション識別情報を保持し、その結果、上記第１のＰｒｏＳｅエンティティは上記第４のコードワードおよび上記第１のアプリケーション識別情報に対応する上記第２の識別情報を取得し、上記第１のＰｒｏＳｅエンティティによって送信される第４のメッセージを受信するよう具体的に構成され、上記第４のメッセージは上記第２の識別情報を保持する。
【００３０】
第４の態様または第４の態様の第１の可能な実装方式に関し、第４の態様の第２の可能な実装方式において、上記受信ユニットは、上記第２の端末によって送信される上記第１のメッセージを受信する前に、上記第２の端末によって送信される第５のメッセージを受信するようさらに構成され、上記第５のメッセージは上記第２のＰｒｏＳｅエンティティに上記第４のコードワードを取得するよう命令するために使用され、上記第４のコードワードは上記第１のＰｒｏＳｅエンティティによって上記第１の端末に割り当てられる上記コードワードであり、上記第１のＰｒｏＳｅエンティティは上記第１の端末の上記ＨＰＬＭＮ内の上記ＰｒｏＳｅエンティティであり、上記取得ユニットは、上記第４のコードワードを取得するようさらに構成され、上記送信ユニットは、第６のメッセージを上記第２の端末に送信するようさらに構成され、上記第６のメッセージは上記第４のコードワードを保持する。
【００３１】
第４の態様の第２の可能な実装方式に関し、第４の態様の第３の可能な実装方式において、上記第５のメッセージは第３の識別情報および上記第１のアプリケーション識別情報を保持し、上記第３の識別情報は上記第２のＰｒｏＳｅエンティティによって上記第２の端末に割り当てられる一時的な端末識別情報であり、上記第１のアプリケーション識別情報は上記第１のアプリケーションの上記アプリケーション識別情報であり、上記取得ユニットは、上記第１のアプリケーション識別情報に従い、第７のメッセージを上記第１のアプリケーションサーバに送信するよう具体的に構成され、上記第７のメッセージは上記第３の識別情報を保持し、上記第１のアプリケーションサーバによって送信される第８のメッセージを受信するよう具体的に構成され、上記第８のメッセージは第１の識別情報を保持し、上記第１の識別情報は上記第１のＰｒｏＳｅエンティティによって上記第１の端末に割り当てられる一時的な端末識別情報であり、第９のメッセージを上記第１のＰｒｏＳｅエンティティに送信するよう具体的に構成され、上記第９のメッセージは上記第１の識別情報を保持し、上記第１のＰｒｏＳｅエンティティによって送信される第１０のメッセージを受信するよう具体的に構成され、上記第１０のメッセージは上記第４のコードワードを保持する。
【００３２】
第４の態様の第２の可能な実装方式に関し、第４の態様の第４の可能な実装方式において、上記第５のメッセージは第１の情報と、第４の識別情報と、上記第１のアプリケーション識別情報と、を保持し、上記第１の情報は第３の識別情報または第６の識別情報を含み、上記第３の識別情報は上記第２のＰｒｏＳｅエンティティによって上記第２の端末に割り当てられる一時的な端末識別情報であり、上記第６の識別情報は上記第２の端末の端末識別情報であり、上記第４の識別情報は上記第１のアプリケーションサーバによって第２のアプリケーションユーザに割り当てられるアプリケーションユーザ識別情報であり、上記第２のアプリケーションユーザは上記第２の端末の上記第１のアプリケーションのユーザであり、上記第１のアプリケーション識別情報は上記第１のアプリケーションの上記アプリケーション識別情報であり、上記取得ユニットは、上記第１のアプリケーション識別情報に従い、第７のメッセージを上記第１のアプリケーションサーバに送信するよう具体的に構成され、上記第７のメッセージは上記第４の識別情報を保持し、上記第１のアプリケーションサーバによって送信される第８のメッセージを受信するよう具体的に構成され、上記第８のメッセージは第１の識別情報を保持し、上記第１の識別情報は上記第１のＰｒｏＳｅエンティティによって上記第１の端末に割り当てられる一時的な端末識別情報であり、第９のメッセージを上記第１のＰｒｏＳｅエンティティに送信するよう具体的に構成され、上記第９のメッセージは上記第１の識別情報を保持し、上記第１のＰｒｏＳｅエンティティによって送信される第１０のメッセージを受信するよう具体的に構成され、上記第１０のメッセージは上記第４のコードワードを保持する。
【００３３】
第４の態様に関し、第４の態様の第５の可能な実装方式において、上記第１のメッセージは第１のコードワードを保持し、上記第１のコードワードは第１のＰｒｏＳｅエンティティによって上記第２の識別情報に割り当てられるコードワードであり、上記第１のＰｒｏＳｅエンティティは上記第１の端末のＨＰＬＭＮ内のＰｒｏＳｅエンティティであり、上記取得ユニットは、上記第１のコードワードに従い、上記第２の識別情報を取得するよう具体的に構成される。
【００３４】
第４の態様の第５の可能な実装方式に関し、第４の態様の第６の可能な実装方式において、上記送信ユニットは、上記第２のメッセージを上記第２の端末に送信する前に、第３のメッセージを上記第１のアプリケーションサーバに送信するようさらに構成され、上記第３のメッセージは上記第２の識別情報を保持し、上記第２の識別情報は上記第１のアプリケーションサーバが第１のアプリケーションユーザのブロードキャストリクエストが許容されることを決定する基礎であり、上記受信ユニットは、上記第１のアプリケーションサーバによって送信される第４のメッセージを受信するようさらに構成され、上記第４のメッセージは上記第１のアプリケーションユーザの上記ブロードキャストリクエストが許容されることを示す。
【００３５】
第４の態様の第５の可能な実装方式または第４の態様の第６の可能な実装方式に関し、第４の態様の第７の可能な実装方式において、上記送信ユニットは、上記第２のメッセージを上記第２の端末に送信した後、第５のメッセージを上記第１のＰｒｏＳｅエンティティに送信するようさらに構成され、上記第５のメッセージは第１の識別情報と、上記第１のアプリケーション識別情報と、第４の識別情報と、を保持し、上記第１の識別情報は上記第１のＰｒｏＳｅエンティティによって上記第１の端末に割り当てられる一時的な端末識別情報であり、上記第１のアプリケーション識別情報は上記第１のアプリケーションの上記アプリケーション識別情報であり、上記第４の識別情報は上記第１のアプリケーションサーバによって第２のアプリケーションユーザに割り当てられるアプリケーションユーザ識別情報であり、上記第２のアプリケーションユーザは上記第２の端末の上記第１のアプリケーションのユーザである。
【００３６】
第４の態様の第５の可能な実装方式から第４の態様の第７の可能な実装方式までに関し、第４の態様の第８の可能な実装方式において、上記第２のＰｒｏＳｅエンティティは決定ユニットをさらに含み、上記受信ユニットは、上記第１のメッセージを受信する前に、上記第２の端末によって送信される第６のメッセージを受信するようさらに構成され、上記第６のメッセージは第３の識別情報および上記第１のアプリケーション識別情報を保持し、上記第３の識別情報は上記第２のＰｒｏＳｅエンティティによって上記第２の端末に割り当てられる一時的な端末識別情報であり、上記第１のアプリケーション識別情報は上記第１のアプリケーションの上記アプリケーション識別情報であり、上記決定ユニットは、上記第３の識別情報および上記第１のアプリケーション識別情報に従い、上記第４の識別情報を決定するよう構成され、上記第４の識別情報は上記第１のアプリケーションサーバによって上記第２のアプリケーションユーザに割り当てられる上記アプリケーションユーザ識別情報であり、上記第２のアプリケーションユーザは上記第２の端末の上記第１のアプリケーションの上記ユーザであり、上記送信ユニットは、第７のメッセージを上記第１のアプリケーションサーバに送信するようさらに構成され、上記第７のメッセージは上記第４の識別情報を保持し、上記受信ユニットは、上記第１のアプリケーションサーバによって送信される第８のメッセージを受信するようさらに構成され、上記第８のメッセージは上記第１の識別情報と上記第２の識別情報との間の対応関係を保持し、上記第１の識別情報と上記第２の識別情報との間の上記対応関係は上記第４の識別情報に従い、上記第１のアプリケーションサーバによって決定され、上記第１の識別情報は上記第１のＰｒｏＳｅエンティティによって上記第１の端末に割り当てられる上記一時的な端末識別情報であり、上記送信ユニットは、第９のメッセージを上記第１のＰｒｏＳｅエンティティに送信するようさらに構成され、上記第９のメッセージは上記第１の識別情報および上記第１のアプリケーション識別情報を保持し、上記受信ユニットは、上記第１のＰｒｏＳｅエンティティによって送信される第１０のメッセージを受信するようさらに構成され、上記第１０のメッセージは上記第１のコードワードを保持し、上記第１のコードワードは上記第１の識別情報および上記第１のアプリケーション識別情報に従い、上記第１のＰｒｏＳｅエンティティによって決定され、上記送信ユニットは、第１１のメッセージを上記第２の端末に送信するようさらに構成され、上記第１１のメッセージは上記第１のコードワードを保持する。
【００３７】
第４の態様の第５の可能な実装方式から第４の態様の第７の可能な実装方式までに関し、第４の態様の第９の可能な実装方式において、上記受信ユニットは、上記第１のメッセージを受信する前に、上記第１のアプリケーションサーバによって送信される第６のメッセージを受信するようさらに構成され、上記第６のメッセージは記第１の識別情報および上記第２の識別情報の間の対応関係と、上記第１のアプリケーション識別情報と、第３の識別情報とを保持し、上記第１の識別情報は上記第１のＰｒｏＳｅエンティティによって上記第１の端末に割り当てられる上記一時的な端末識別情報であり、上記第１のアプリケーション識別情報は上記第１のアプリケーションの上記アプリケーション識別情報であり、上記第３の識別情報は上記第２のＰｒｏＳｅエンティティによって上記第２の端末に割り当てられる一時的な端末識別情報であり、上記送信ユニットは、第７のメッセージを上記第１のＰｒｏＳｅエンティティに送信するようさらに構成され、上記第７のメッセージは上記第１の識別情報および上記第１のアプリケーション識別情報を保持し、上記受信ユニットは、上記第１のＰｒｏＳｅエンティティによって送信される第８のメッセージを受信するようさらに構成され、上記第８のメッセージは上記第１のコードワードを保持し、上記第１のコードワードは上記第１の識別情報および上記第１のアプリケーション識別情報に従い、上記第１のＰｒｏＳｅエンティティによって決定され、上記送信ユニットは、第９のメッセージを上記第２の端末に送信するようさらに構成され、上記第９のメッセージは上記第１のコードワードを保持する。
【００３８】
第５の態様によると、取得ユニットと、送信ユニットと、受信ユニットと、検出ユニットと、を備える第２の端末が提供され、上記取得ユニットは、第１の端末によってブロードキャストされる第４のコードワードを取得するよう構成され、上記第４のコードワードは第１のＰｒｏＳｅエンティティによって上記第１の端末に割り当てられるコードワードであり、上記第１のＰｒｏＳｅエンティティは上記第１の端末のホーム公衆移動通信ネットワークＨＰＬＭＮ内のＰｒｏＳｅエンティティであり、上記送信ユニットは、上記第４のコードワードが事前格納されたコードワードに合致する場合、第１のメッセージを第２のＰｒｏＳｅエンティティに送信するよう構成され、上記第１のメッセージは上記第４のコードワードおよび第１のアプリケーション識別情報を保持し、上記第１のアプリケーション識別情報は第１のアプリケーションのアプリケーション識別情報であり、上記第２のＰｒｏＳｅエンティティは上記第２の端末のＨＰＬＭＮ内のＰｒｏＳｅエンティティであり、上記受信ユニットは、上記第２のＰｒｏＳｅエンティティによって送信される第２のメッセージを受信するよう構成され、上記第２のメッセージは第２の識別情報を保持し、上記第２の識別情報は第１のアプリケーションサーバによって第１のアプリケーションユーザに割り当てられるアプリケーションユーザ識別情報であり、上記第１のアプリケーションユーザは上記第１の端末の上記第１のアプリケーションのユーザであり、上記第１のアプリケーションサーバは上記第１のアプリケーションのアプリケーションサーバであり、上記検出ユニットは、上記第２の識別情報に従い、上記第１のアプリケーションユーザを検出するよう構成される。
【００３９】
第５の態様に関し、第５の態様の第１の可能な実装方式において、上記送信ユニットは、上記第４のコードワードが上記事前格納されたコードワードに合致する場合、および上記取得ユニットが上記第１の端末によってブロードキャストされる上記第４のコードワードを取得する前に、第３のメッセージを上記第２のＰｒｏＳｅエンティティに送信するようさらに構成され、上記第３のメッセージは第３の識別情報および上記第１のアプリケーション識別情報を保持し、上記第３の識別情報は上記第２のＰｒｏＳｅエンティティによって上記第２の端末に割り当てられる一時的な端末識別情報であり、上記受信ユニットは、上記第２のＰｒｏＳｅエンティティによって送信される第４のメッセージを受信するようさらに構成され、上記第４のメッセージは上記第４のコードワードを保持する。
【００４０】
第５の態様に関し、第５の態様の第２の可能な実装方式において、上記送信ユニットは、上記第４のコードワードが上記事前格納されたコードワードに合致する場合、および上記取得ユニットが上記第１の端末によってブロードキャストされる上記第４のコードワードを取得する前に、第３のメッセージを上記第２のＰｒｏＳｅエンティティに送信するようさらに構成され、上記第３のメッセージは第１の情報と、第４の識別情報と、上記第１のアプリケーション識別情報と、を保持し、上記第１の情報は第３の識別情報または第６の識別情報を含み、上記第３の識別情報は上記第２のＰｒｏＳｅエンティティによって上記第２の端末に割り当てられる一時的な端末識別情報であり、上記第６の識別情報は上記第２の端末の端末識別情報であり、上記第４の識別情報は上記第１のアプリケーションサーバによって第２のアプリケーションユーザに割り当てられるアプリケーションユーザ識別情報であり、上記第２のアプリケーションユーザは上記第２の端末の上記第１のアプリケーションのユーザであり、上記受信ユニットは、上記第２のＰｒｏＳｅエンティティによって送信される第４のメッセージを受信するようさらに構成され、上記第４のメッセージは上記第４のコードワードを保持する。
【００４１】
第６の態様によると、取得ユニットと、送信ユニットと、受信ユニットと、を備える第２の端末が提供され、上記取得ユニットは第１の端末によってブロードキャストされる第１のコードワードを取得するよう構成され、上記第１のコードワードは第１のＰｒｏＳｅエンティティによって第２の識別情報に割り当てられるコードワードであり、上記第２の識別情報は第１のアプリケーションサーバによって第１のアプリケーションユーザに割り当てられるアプリケーションユーザ識別情報であり、上記第１のアプリケーションユーザは上記第１の端末の第１のアプリケーションのユーザであり、上記第１のアプリケーションサーバは上記第１のアプリケーションのアプリケーションサーバであり、上記第１のＰｒｏＳｅエンティティは上記第１の端末のホーム公衆移動通信ネットワークＨＰＬＭＮ内のＰｒｏＳｅエンティティであり、上記送信ユニットは上記第１のコードワードが事前格納されたコードワードに合致する場合、第１のメッセージを第２のＰｒｏＳｅエンティティに送信するよう構成され、上記第１のメッセージは上記第１のコードワードを保持し、上記第２のＰｒｏＳｅエンティティは上記第２の端末のＨＰＬＭＮ内のＰｒｏＳｅエンティティであり、上記受信ユニットは上記第２のＰｒｏＳｅエンティティによって送信される第２のメッセージを受信するよう構成され、上記第２のメッセージは上記第２の識別情報を保持し、上記第２の識別情報は上記第１のコードワードに従い、上記第２のＰｒｏＳｅエンティティによって決定され、上記第２の識別情報は上記第１のアプリケーションユーザを検出するよう命令するために使用される。
【００４２】
第６の態様に関し、第６の態様の第１の可能な実装方式において、上記送信ユニットは、上記第１のコードワードが上記事前格納されたコードワードに合致する場合、および上記取得ユニットが上記第１の端末によってブロードキャストされる上記第１のコードワードを取得する前に、第３のメッセージを上記第２のＰｒｏＳｅエンティティに送信するようさらに構成され、上記第３のメッセージは第３の識別情報および第１のアプリケーション識別情報を保持し、上記第３の識別情報は上記第２のＰｒｏＳｅエンティティによって上記第２の端末に割り当てられる一時的な端末識別情報であり、上記第１のアプリケーション識別情報は上記第１のアプリケーションのアプリケーション識別情報であり、上記受信ユニットは上記第２のＰｒｏＳｅエンティティによって送信される第４のメッセージを受信するようさらに構成され、上記第４のメッセージは上記第１のコードワードを保持し、上記第１のコードワードは上記第３の識別情報および第１のアプリケーション識別情報に従い、上記第２のＰｒｏＳｅエンティティによって決定される。
【００４３】
第６の態様に関し、第６の態様の第２の可能な実装方式において、上記受信ユニットは、上記取得ユニットが上記第１のコードワードを取得する前に、上記第１のアプリケーションサーバがトリガされる場合、上記第２のＰｒｏＳｅエンティティによって送信される第３のメッセージを受信するようさらに構成され、上記第３のメッセージは上記第１のコードワードを保持する。
【００４４】
上記の解決手段を使用することによって、一態様において、第１のメッセージを第２の端末に送信した後、第２のＰｒｏＳｅエンティティは第２の識別情報を保持する第２のメッセージを受信でき、第２の識別情報は第１のアプリケーションユーザを検出するよう命令するために使用される。第２のＰｒｏＳｅエンティティは第２のアプリケーションユーザが第１のアプリケーションユーザを検出するイベントを認識でき、さらに、第１のＰｒｏＳｅエンティティも第２のアプリケーションユーザが第１のアプリケーションユーザを検出するイベントを認識できることが理解できるであろう。すなわち、ネットワークは、２人のアプリケーションユーザが互いに検出するとイベントを認識でき、従って、それは事業者の経費とネットワークイベントのモニタリングにとって好ましい。別の態様では、ＰｒｏＳｅ情報送信プロセスにおいて、従来技術における端末識別情報は一時的な端末識別情報で置換され、従来技術におけるアプリケーションユーザ識別情報は、アプリケーションユーザ識別情報で置換され、すなわち、端末とＰｒｏＳｅエンティティとの間の３ＧＰＰ通信プロセスにおいて保持される情報は、ＰｒｏＳｅエンティティまたはアプリケーションサーバによって一時的に割り当てられる、対応する情報であり、その情報は個人のプライバシーには帰属しない。従って、３ＧＰＰレイヤでの送信において、潜在的なセキュリティの問題は存在せず、アプリケーションサーバはこの送信方式をサポート可能である。
【００４５】
本発明の複数の実施形態または先行技術における技術的解決手段をより明確に記載すべく、以下に当該実施形態または先行技術の記載に必要な添付図面について簡単に説明する。以下の説明における添付図面は、本発明のいくつかの実施形態を示すものにすぎず、当業者であれば、創造的な取り組みなしに、これらの添付図面からさらなる他の図面を導き出せることは明らかである。
【図面の簡単な説明】
【００４６】
【図１Ａ】本発明の実施形態による、２人のアプリケーションユーザが互いに検出する、先行技術における方法の概略相互作用図である。
【図１Ｂ】本発明の実施形態による、２人のアプリケーションユーザが互いに検出する、先行技術における方法の概略相互作用図である。
【００４７】
【図２】本発明の実施形態による、ＰｒｏＳｅ情報送信方法の概略フローチャート１である。
【００４８】
【図３】本発明の実施形態による、ＰｒｏＳｅ情報送信方法の概略フローチャート２である。
【００４９】
【図４】本発明の実施形態による、ＰｒｏＳｅ情報送信方法の概略フローチャート３である。
【００５０】
【図５】本発明の実施形態による、ＰｒｏＳｅ情報送信方法の概略フローチャート４である。
【００５１】
【図６】本発明の実施形態による、ＰｒｏＳｅ情報送信方法の概略フローチャート５である。
【００５２】
【図７】本発明の実施形態による、ＰｒｏＳｅ情報送信方法の概略フローチャート６である。
【００５３】
【図８】本発明の実施形態による、ＰｒｏＳｅ情報送信方法の概略フローチャート７である。
【００５４】
【図９】本発明の実施形態による、ＰｒｏＳｅ情報送信方法の概略フローチャート８である。
【００５５】
【図１０】本発明の実施形態による、ＰｒｏＳｅ情報送信方法の概略フローチャート９である。
【００５６】
【図１１】本発明の実施形態による、ＰｒｏＳｅ情報送信方法の概略フローチャート１０である。
【００５７】
【図１２】本発明の実施形態による、ＰｒｏＳｅ情報送信方法の概略フローチャート１１である。
【００５８】
【図１３】本発明の実施形態による、ＰｒｏＳｅ情報送信方法の概略フローチャート１２である。
【００５９】
【図１４】本発明の実施形態による、ＰｒｏＳｅ情報送信方法の概略フローチャート１３である。
【００６０】
【図１５】本発明の実施形態による、ＰｒｏＳｅ情報送信方法の概略フローチャート１４である。
【００６１】
【図１６】本発明の実施形態による、ＰｒｏＳｅ情報送信方法の概略相互作用図１である。
【００６２】
【図１７】本発明の実施形態による、ＰｒｏＳｅ情報送信方法の概略相互作用図２である。
【００６３】
【図１８】本発明の実施形態による、ＰｒｏＳｅ情報送信方法の概略相互作用図３である。
【００６４】
【図１９】本発明の実施形態による、ＰｒｏＳｅ情報送信方法の概略相互作用図４である。
【００６５】
【図２０】本発明の実施形態による、ＰｒｏＳｅ情報送信方法の概略相互作用図５である。
【００６６】
【図２１】本発明の実施形態による、ＰｒｏＳｅ情報送信方法の概略相互作用図６である。
【００６７】
【図２２Ａ】本発明の実施形態による、ＰｒｏＳｅ情報送信方法の概略相互作用図７である。
【図２２Ｂ】本発明の実施形態による、ＰｒｏＳｅ情報送信方法の概略相互作用図７である。
【００６８】
【図２３Ａ】本発明の実施形態による、ＰｒｏＳｅ情報送信方法の概略相互作用図８である。
【図２３Ｂ】本発明の実施形態による、ＰｒｏＳｅ情報送信方法の概略相互作用図８である。
【００６９】
【図２４】本発明の実施形態による、ＰｒｏＳｅ情報送信方法の概略相互作用図９である。
【００７０】
【図２５】本発明の実施形態による、ＰｒｏＳｅ情報送信方法の概略相互作用図１０である。
【００７１】
【図２６】本発明の実施形態による、ＰｒｏＳｅ情報送信方法の概略相互作用図１１である。
【００７２】
【図２７】本発明の実施形態による、第２のＰｒｏＳｅエンティティの概略構造図１である。
【００７３】
【図２８】本発明の実施形態による、第２のＰｒｏＳｅエンティティの概略構造図２である。
【００７４】
【図２９】本発明の実施形態による、第２の端末の概略構造図である。
【発明を実施するための形態】
【００７５】
最初に、以下の実施形態を簡単に説明するために、いくつかの関連定義を次に供する。
【００７６】
第１の端末とは、ブロードキャスト機能を持つ端末である。
【００７７】
第２の端末とは、モニタリング機能を持つ端末である。
【００７８】
第１のＰｒｏＳｅエンティティとは、第１の端末のホーム公衆移動通信ネットワーク（Ｈｏｍｅ−Ｐｕｂｌｉｃ  Ｌａｎｄ  Ｍｏｂｉｌｅ  Ｎｅｔｗｏｒｋ，ＨＰＬＭＮ）におけるＰｒｏＳｅエンティティである。ここで、ＰｒｏＳｅエンティティは論理機能であり、ＰｒｏＳｅで使用される。ＰｒｏＳｅエンティティはネットワークにおける機能であり、別個のエンティティであってよく、または例えばモビリティ管理エンティティ（Ｍｏｂｉｌｅ  Ｍａｎａｇｅｎｍｅｎｔ  Ｅｎｔｉｔｙ，ＭＭＥ）若しくはＰＧＷといった別のコアネットワークデバイスで保持されてよい。ＰｒｏＳｅエンティティは直接検出名前管理機能（Ｄｉｒｅｃｔ  Ｄｉｓｃｏｖｅｒｙ  Ｎａｍｅ  Ｍａｎａｇｅｍｅｎｔ  Ｆｕｎｃｔｉｏｎ）を含み、ＰｒｏＳｅ検出プロセスにおいてコードワードを割り当てるために使用される。
【００７９】
第２のＰｒｏＳｅエンティティとは、第２の端末のＨＰＬＭＮ内のＰｒｏＳｅエンティティである。
【００８０】
第１のアプリケーション識別情報（Ａｐｐｌｉｃａｔｉｏｎ  Ｉｄｅｎｔｉｔｙ，ＡＰＰ  ＩＤ）とは、第１のアプリケーションのＡＰＰ  ＩＤであり、概して、オペレーティングシステム内で端末によって使用されるソフトウェアの識別情報である。
【００８１】
第１のアプリケーションユーザとは、第１の端末の第１のアプリケーションのユーザである。
【００８２】
第２のアプリケーションユーザとは、第２の端末の第１のアプリケーションのユーザである。
【００８３】
第１の識別情報とは、第１のＰｒｏＳｅエンティティによって第１の端末に割り当てられる一時的なＵＥ識別情報（Ｔｅｍｐｏｒａｒｙ  ＵＥ  Ｉｄｅｎｔｉｔｙ，Ｔｅｍｐ  ＵＥ  ＩＤ）である。ここで、Ｔｅｍｐ  ＵＥ  ＩＤは進化型パケットコアネットワーク（Ｅｖｏｌｖｅｄ  Ｐａｃｋｅｔ  Ｃｏｒｅ  ｎｅｔｗｏｒｋ，ＥＰＣ）でＵＥを一意に決定するために使用されてよい。
【００８４】
ＥＰＣとは、第３世代パートナーシッププロジェクト（Ｔｈｅ  ３ｒｄ  Ｇｅｎｅｒａｔｉｏｎ  Ｐａｒｔｎｅｒｓｈｉｐ  Ｐｒｏｊｅｃｔ，３ＧＰＰ）プロトコルで定義される進化型パケットコアネットワークであり、ロングタームエボリューション（ｌｏｎｇ  ｔｅｒｍ  ｅｖｏｌｕｔｉｏｎ，ＬＴＥ）技術および高速パケットデータ（Ｈｉｇｈ  Ｒａｔｅ  Ｐａｃｋｅｔ  Ｄａｔａ，ＨＲＰＤ）技術といった技術を使用して、ＥＰＣにアクセスできる。
【００８５】
第１のＰｒｏＳｅエンティティによって第１の端末に割り当てられる一時的な端末識別情報は、第１の端末の例えば電話番号等の実際の端末識別情報であってよく、それは本発明の実施形態において特に限定されないことに留意すべきである。
【００８６】
第２の識別情報とは、アプリケーションサーバによって第１のアプリケーションユーザに割り当てられるアプリケーションユーザ識別情報（Ａｐｐｌｉｃａｔｉｏｎ  ｕｓｅｒ  ｉｄｅｎｔｉｔｙ，  ＡＰＰ  Ｕｓｅｒ  ＩＤ）であり、ここで、ＡＰＰ  Ｕｓｅｒ  ＩＤは、アプリケーションサーバでのアプリケーションユーザを一意に決定するために使用されてよい。
【００８７】
アプリケーションサーバによって第１のアプリケーションユーザに割り当てられるアプリケーションユーザ識別情報は、例えば第１のアプリケーションユーザのＷｅＣｈａｔ  ＩＤ等の第１のアプリケーションユーザの実際のアプリケーションユーザ識別情報であってよく、それは本発明の実施形態において特に限定されないことに留意すべきである。
【００８８】
第３の識別情報とは、第２のＰｒｏＳｅエンティティによって第２の端末に割り当てられるＴｅｍｐ  ＵＥ  ＩＤであり、ここで、Ｔｅｍｐ  ＵＥ  ＩＤはＥＰＣでＵＥを一意に決定するために使用されてよい。
【００８９】
第２のＰｒｏＳｅエンティティによって第２の端末に割り当てられる一時的な端末識別情報は、第２の端末の例えば電話番号等の実際の端末識別情報であってよく、それは本発明の実施形態において特に限定されないことに留意すべきである。
【００９０】
第４の識別情報とは、アプリケーションサーバによって第２のアプリケーションユーザに割り当てられるＡＰＰ  Ｕｓｅｒ  ＩＤであり、ここで、ＡＰＰ  Ｕｓｅｒ  ＩＤはアプリケーションサーバでのアプリケーションユーザを一意に決定するために使用されてよい。
【００９１】
アプリケーションサーバによって第２のアプリケーションユーザに割り当てられるアプリケーションユーザ識別情報は、例えば第２のアプリケーションユーザのＷｅＣｈａｔ  ＩＤ等の第２のアプリケーションユーザの実際のアプリケーションユーザ識別情報であってよく、それは本発明の実施形態において特に限定されないことに留意すべきである。
【００９２】
第１のコードワードとは、第１のＰｒｏＳｅエンティティによって第２の識別情報に割り当てられるコードワードである。
【００９３】
第２のコードワードとは、第２のＰｒｏＳｅエンティティによって第４の識別情報に割り当てられるコードワードである。
【００９４】
第４のコードワードとは、第１のＰｒｏＳｅエンティティによって第１の端末に割り当てられるコードワードである。
【００９５】
第６の識別情報とは、第２の端末の端末識別情報である。
【００９６】
第７の識別情報とは、第１の端末の端末識別情報である。
【００９７】
第１のアプリケーションサーバとは、第１のアプリケーションのアプリケーションサーバである。
【００９８】
検出（Ｄｉｓｃｏｖｅｒｙ）とは、他方が近くにいることを確認することを指す。
【００９９】
ＰｒｏＳｅ情報。ＰｒｏＳｅ情報とは、ＰｒｏＳｅ検出プロセスを実装するために必要なＰｒｏＳｅ情報である。ＰｒｏＳｅ情報は上で定義した第１の識別情報、第２の識別情報、第３の識別情報、第４の識別情報、第６の識別情報、第７の識別情報、第１のコードワード、第２のコードワードおよび第４のコードワードであってよく、それは本発明の実施形態において特に限定されない。
【０１００】
本発明の複数の実施形態において、第１のコードワードおよび第４のコードワードは、階層構造であってよく、それらは文字から変換された、エアインタフェースを使用することによってブロードキャスト可能な数字であることに留意すべきである。例示であるが、本明細書で提供されるコードワード階層を次に示す。
【表１】
0006377760.tif 000002
【０１０１】
ＰＬＭＮ  ＩＤは、概して、モバイル国コード（Ｍｏｂｉｌｅ  Ｃｏｕｎｔｒｙ  Ｃｏｄｅ，  ＭＣＣ）およびモバイルネットワークコード（Ｍｏｂｉｌｅ  Ｎｅｔｗｏｒｋ  Ｃｏｄｅ，  ＭＮＣ）を指す。もちろん、ＰＬＭＮ  ＩＤは別の表現形式を有してよく、それは本発明の実施形態において特に限定されない。例示であるが、ＰＬＭＮ  ＩＤが４６０００である場合、それは中国のモバイル事業者を示しており、ここで４６０は中国を表わし、００はモバイル事業者を表わす。
【０１０２】
上記の通り、ＡＰＰ  ＩＤは概して、オペレーティングシステム内で端末によって使用されるソフトウェアの識別情報であり、それはソフトウェアを一意に識別するために使用されてよい。
【０１０３】
Ｔｙｐｅは現在のアプリケーションユーザがフレンド（友人）にのみオープンであるか、または任意の者にオープンであるか等を示す。
【０１０４】
上記の通り、Ｔｅｍｐ  ＵＥ  ＩＤは、ＰｒｏＳｅエンティティによって端末に割り当てられる一時的な端末識別情報であり、端末を一意に識別するために使用されてよい。
【０１０５】
もちろん、上記コードワード階層構造は例示にすぎず、コードワード階層構造は他の情報を含んでよく、それは本発明の実施形態において特に限定されない。
【０１０６】
上記の定義は、本発明の以下のすべての実施形態に適用可能であることに留意すべきである。本明細書においては、共通の説明がなされ、以降繰り返して記載しない。
【０１０７】
また、背景技術の理解を容易にすべく、図１Ａおよび図１Ｂを参照して、２人のアプリケーションユーザが互いを検出する従来技術の方法に関する簡単な説明をここで行う。方法は以下の段階を含む。
【０１０８】
１０１において、第１の端末は、第２のアプリケーションユーザのアプリケーションユーザ識別情報ＡＰＰ  Ｕｓｅｒ  ＩＤを取得する。
【０１０９】
１０２において、第１の端末は第１のメッセージを第１のＰｒｏＳｅエンティティに送信し、第１のメッセージは第１のアプリケーションユーザのＡＰＰ  Ｕｓｅｒ  ＩＤおよび第２のアプリケーションユーザのＡＰＰ  Ｕｓｅｒ  ＩＤを保持する。
【０１１０】
１０３において、第１のＰｒｏＳｅエンティティは第１のメッセージを受信する。
【０１１１】
１０４において、第１のＰｒｏＳｅエンティティは第２のメッセージをアプリケーションサーバに送信し、第２のメッセージは上記第１のアプリケーションユーザの上記ＡＰＰ  Ｕｓｅｒ  ＩＤおよび第２のアプリケーションユーザのＡＰＰ  Ｕｓｅｒ  ＩＤを保持する。
【０１１２】
１０５において、アプリケーションサーバは第２のメッセージを受信し、第２のメッセージに従い、ＡＰＰ  Ｕｓｅｒ  ＩＤをＡＰＰ  Ｕｓｅｒ  ＩＤのコードワードに変換するために使用されるアルゴリズムを取得する。
【０１１３】
１０６において、アプリケーションサーバは第３のメッセージを第１のＰｒｏＳｅエンティティに送信し、第３のメッセージはＡＰＰ  Ｕｓｅｒ  ＩＤをＡＰＰ  Ｕｓｅｒ  ＩＤのコードワードに変換するために使用されるアルゴリズムを保持する。
【０１１４】
１０７において、第１のＰｒｏＳｅエンティティは第３のメッセージを受信し、第３のメッセージに従い、第１のアプリケーションユーザのＡＰＰ  Ｕｓｅｒ  ＩＤおよび第２のアプリケーションユーザのＡＰＰ  Ｕｓｅｒ  ＩＤを対応するＡＰＰ  Ｕｓｅｒ  ＩＤのコードワードに変換する。
【０１１５】
１０８において、第１のＰｒｏＳｅエンティティは第４のメッセージを第１の端末に送信し、第４のメッセージは第１のアプリケーションユーザのＡＰＰ  Ｕｓｅｒ  ＩＤと第１のアプリケーションユーザのＡＰＰ  Ｕｓｅｒ  ＩＤのコードワードとの間の対応関係および第２のアプリケーションユーザのＡＰＰ  Ｕｓｅｒ  ＩＤと第２のアプリケーションユーザのＡＰＰ  Ｕｓｅｒ  ＩＤのコードワードとの間の対応関係を保持する。
【０１１６】
１０９において、第１の端末は第４のメッセージを受信し、第１のアプリケーションユーザのＡＰＰ  Ｕｓｅｒ  ＩＤと第１のアプリケーションユーザのＡＰＰ  Ｕｓｅｒ  ＩＤのコードワードとの間の対応関係および第２のアプリケーションユーザのＡＰＰ  Ｕｓｅｒ  ＩＤと第２のアプリケーションのＡＰＰ  Ｕｓｅｒ  ＩＤのコードワードとの間の対応関係を格納する。
【０１１７】
１１０において、第１の端末は第１のアプリケーションユーザのＡＰＰ  Ｕｓｅｒ  ＩＤのコードワードをブロードキャストする。
【０１１８】
１１１において、第２の端末は、モニタリングにより、第１のアプリケーションユーザのＡＰＰ  Ｕｓｅｒ  ＩＤのコードワードを取得する。
【０１１９】
第２の端末は第２のＰｒｏＳｅエンティティおよびアプリケーションサーバとやり取りすることによって、段階１０１から段階１０９までと類似するプロセスを実行してよく、ここで詳細は繰り返し記載しないことに留意すべきである。すなわち、第２の端末は第１のアプリケーションユーザのＡＰＰ  Ｕｓｅｒ  ＩＤとＡＰＰ  Ｕｓｅｒ  ＩＤのコードワードとの間の対応関係を格納してよい。従って、第１のアプリケーションユーザおよび第２のアプリケーションユーザが相互にフレンド（友人）である場合、モニタリングにより、第１のアプリケーションユーザのＡＰＰ  Ｕｓｅｒ  ＩＤのコードワードを取得した後、第２の端末は第１のアプリケーションユーザのＡＰＰ  Ｕｓｅｒ  ＩＤとＡＰＰ  Ｕｓｅｒ  ＩＤのコードワードとの間の格納された対応関係に従い、モニタリングにより取得された第１のアプリケーションユーザのＡＰＰ  Ｕｓｅｒ  ＩＤのコードワードに対応するＡＰＰ  Ｕｓｅｒ  ＩＤを決定してよい。すなわち、第１のアプリケーションユーザが第２のアプリケーションユーザのフレンド（友人）である場合、第２の端末がこのプロセスの中で、モニタリングにより、第１のアプリケーションユーザのＡＰＰ  Ｕｓｅｒ  ＩＤのコードワードを取得した後、第２のアプリケーションユーザは第１のアプリケーションユーザを検出でき、または第２の端末は第１の端末を検出できる。
【０１２０】
以下に、本発明の複数の実施形態の添付図面を参照して本発明の複数の実施形態の技術的解決手段を明確に記載する。記載された実施形態は、本発明の実施形態のすべてではなく一部であることは明らかである。当業者が創造的な取り組みなしに本発明の複数の実施形態に基づいて得られるすべての他の実施形態は、本発明の保護範囲に属するものとする。
【０１２１】
本発明の複数の実施形態における技術的解決手段の明確な記載を容易にすべく、本発明の複数の実施形態においては「第１の」、「第２の」、「第３の」および「第４の」といった表現が使用され、基本的に同一の機能または目的を持つ、同一アイテム間または類似アイテム間を区別する。当業者は、「第１の」、「第２の」、「第３の」、および「第４の」といった表現は、数および実装順序を限定するものではないことが理解できるであろう。
［実施形態１］
【０１２２】
本発明のこの実施形態は、図２に具体的に示されるＰｒｏＳｅ情報送信方法を提供する。この実施形態は、以下の複数の段階を含む。
【０１２３】
２０１において、第２のＰｒｏＳｅエンティティは、第２の端末によって送信される第１のメッセージを受信し、ここで、第１のメッセージは第２のＰｒｏＳｅエンティティに第２の識別情報を取得するよう命令するために使用される。
【０１２４】
２０２において、第２のＰｒｏＳｅエンティティは第２の識別情報を取得する。
【０１２５】
具体的には、第１のメッセージは、第４のコードワードおよび第１のアプリケーション識別情報を保持してよい。
【０１２６】
第２のＰｒｏＳｅエンティティが第２の識別情報を取得する（段階２０２）ことは、具体的に以下のことを含んでよい。すなわち、第２のＰｒｏＳｅエンティティは第３のメッセージを第１のＰｒｏＳｅエンティティに送信し、ここで、第３のメッセージは第４のコードワードおよび第１のアプリケーション識別情報を保持し、その結果、第１のＰｒｏＳｅエンティティは第４のコードワードおよび第１のアプリケーション識別情報に対応する第２の識別情報を取得する。第２のＰｒｏＳｅエンティティは、第１のＰｒｏＳｅエンティティによって送信される第４のメッセージを受信し、ここで、第４のメッセージは第２の識別情報を保持する。
【０１２７】
任意で、第４のメッセージは第１のアプリケーション識別情報をさらに保持してよく、ここで、第１のアプリケーション識別情報は第２の識別情報に対応する第１のアプリケーションを示すために使用され、それは本発明のこの実施形態において特に限定されない。
【０１２８】
もちろん、第２のＰｒｏＳｅエンティティは第４のコードワードと、第１のアプリケーション識別情報と、第２の識別情報との間の対応関係を事前格納してよい。第４のコードワードおよび第１のアプリケーション識別情報を保持する第１のメッセージを受信した後、第２のＰｒｏＳｅエンティティは当該対応関係に従い、第２の識別情報を取得してよいが、本発明のこの実施形態においてそのような形態に特に限定されない。
【０１２９】
２０３において、第２のＰｒｏＳｅエンティティは第２のメッセージを第２の端末に送信し、ここで、第２のメッセージは第２の識別情報を保持する。
【０１３０】
第２の識別情報は、第２の端末によって検出される第１のアプリケーションユーザを示すために使用される。
【０１３１】
任意で、第２のメッセージは第１のアプリケーション識別情報をさらに保持してよく、ここで、第１のアプリケーション識別情報は第２の識別情報に対応する第１のアプリケーションを示すために使用されてよいが、本発明のこの実施形態においてそのような形態に特に限定されない。
【０１３２】
さらに、図３に示される通り、第２のＰｒｏＳｅエンティティが第２の端末によって送信される第１のメッセージを受信する（段階２０１）前に、方法はさらに以下の複数の段階を含んでよい。
【０１３３】
２０４ａにおいて、第２のＰｒｏＳｅエンティティは第２の端末によって送信される第５のメッセージを受信し、ここで、第５のメッセージは第２のＰｒｏＳｅエンティティに第４のコードワードを取得するよう命令するために使用される。
【０１３４】
２０５ａにおいて、第２のＰｒｏＳｅエンティティは第４のコードワードを取得する。
【０１３５】
具体的に、第５のメッセージは第３の識別情報および第１のアプリケーション識別情報を保持してよい。
【０１３６】
第２のＰｒｏＳｅエンティティが第４のコードワードを取得する（段階２０５ａ）ことは具体的に以下を含んでよい：第２のＰｒｏＳｅエンティティは第１のアプリケーション識別情報に従い、第７のメッセージを第１のアプリケーションサーバに送信し、ここで、第７のメッセージは第３の識別情報を保持すること、および、第２のＰｒｏＳｅエンティティは第１のアプリケーションサーバによって送信される第８のメッセージを受信し、ここで、第８のメッセージは第１の識別情報を保持すること、および、第２のＰｒｏＳｅエンティティは第９のメッセージを第１のＰｒｏＳｅエンティティに送信し、ここで、第９のメッセージは第１の識別情報を保持すること、および、第２のＰｒｏＳｅエンティティは第１のＰｒｏＳｅエンティティによって送信される第１０のメッセージを受信し、ここで、第１０のメッセージは第４のコードワードを保持すること。
【０１３７】
任意で、第５のメッセージは第１の情報、第４の識別情報、および第１のアプリケーション識別情報をさらに保持してよく、ここで第１の情報は第３の識別情報または第６の識別情報を含む。
【０１３８】
第２のＰｒｏＳｅエンティティが第４のコードワードを取得する（段階２０５ａ）ということは具体的に以下を含んでよい：第２のＰｒｏＳｅエンティティは、第１のアプリケーション識別情報に従い、第７のメッセージを第１のアプリケーションサーバに送信し、ここで第７のメッセージは第４の識別情報を保持すること、および、第２のＰｒｏＳｅエンティティは第１のアプリケーションサーバによって送信される第８のメッセージを受信し、ここで第８のメッセージは第１の識別情報を保持すること、および、第２のＰｒｏＳｅエンティティは第９のメッセージを第１のＰｒｏＳｅエンティティに送信し、ここで第９のメッセージは第１の識別情報を保持すること、および、第２のＰｒｏＳｅエンティティは第１のＰｒｏＳｅエンティティによって送信される第１０のメッセージを受信し、ここで第１０のメッセージは第４のコードワードを保持すること。
【０１３９】
２０６ａにおいて、第２のＰｒｏＳｅエンティティは第６のメッセージを第２の端末に送信し、ここで、第６のメッセージは第４のコードワードを保持する。
【０１４０】
別の可能な実装方式において、第１のメッセージは第１のコードワードを保持し、ここで、第１のコードワードは第１のＰｒｏＳｅエンティティによって第２の識別情報に割り当てられるコードワードであり、第１のＰｒｏＳｅエンティティは第１の端末のＨＰＬＭＮ内のＰｒｏＳｅエンティティである。
【０１４１】
第２のＰｒｏＳｅエンティティが第２の識別情報を取得することは具体的に以下を含んでよい：第２のＰｒｏＳｅエンティティは第１のコードワードに従い、第２の識別情報を取得すること。
【０１４２】
さらに、第２のＰｒｏＳｅエンティティが第２のメッセージを第２の端末に送信する（段階２０３）前に、本発明のこの実施形態において提供されるＰｒｏＳｅ情報送信方法はさらに以下を含んでよい：第２のＰｒｏＳｅエンティティは第３のメッセージをアプリケーションサーバに送信し、ここで、第３のメッセージは第２の識別情報を保持し、第２の識別情報はアプリケーションサーバが第１のアプリケーションユーザのブロードキャストリクエストが許容されることを決定する基礎であること、および、第２のＰｒｏＳｅエンティティは、アプリケーションサーバによって送信される第４のメッセージを受信し、ここで、第４のメッセージは、第１のアプリケーションユーザのブロードキャストリクエストが許容されることを示すこと。
【０１４３】
すなわち、第２のＰｒｏＳｅエンティティが第１のアプリケーションユーザが検出されるイベントを認識した後、および第２のＰｒｏＳｅエンティティが第２のメッセージを第２の端末に送信する前に、第１のアプリケーションユーザのブロードキャストリクエストが許容されるかということは、アプリケーションサーバ側でさらに決定されてよく、アプリケーションサーバが第１のアプリケーションサーバのブロードキャストリクエストを許容した後、第２のメッセージが第２の端末に送信される。このように、第１のアプリケーションユーザのブロードキャストの有効性はさらに保証され、従ってネットワークセキュリティが保証される。
【０１４４】
および／または第２のＰｒｏＳｅエンティティが第２の端末によって送信される第１のメッセージを受信した（段階２０１）後、方法はさらに以下を含んでよい：第２のＰｒｏＳｅエンティティは第５のメッセージを第１のＰｒｏＳｅエンティティに送信し、ここで、第５のメッセージは第１の識別情報、第１のアプリケーション識別情報、および第４の識別情報を保持すること。
【０１４５】
すなわち、第２のＰｒｏＳｅエンティティが、第１のアプリケーションユーザが検出されるイベントを認識した後、第１のＰｒｏＳｅエンティティは、第２のアプリケーションユーザが第１のアプリケーションユーザを検出するイベントを通知されてよく、さらに、第１のＰｒｏＳｅエンティティは、第１の端末に、第２のアプリケーションユーザが第１のアプリケーションユーザを検出するイベントを通知するために使用される。従って、ブロードキャストの実行時、第１の端末は、第１の端末が第２の端末によって検出されるかを適時に認識できることが保証される。
【０１４６】
さらに、図４に示される通り、本発明のこの実施形態において提供されるＰｒｏＳｅ情報送信方法においては、第２のＰｒｏＳｅエンティティが第２の端末によって送信される第１のメッセージを受信する（段階２０１）前に、以下の段階をさらに含んでよい。
【０１４７】
２０４ｂにおいて、第２のＰｒｏＳｅエンティティは、第２の端末によって送信される第６のメッセージを受信し、ここで、第６のメッセージは第３の識別情報および第１のアプリケーション識別情報を保持する。
【０１４８】
具体的には、本発明のこの実施形態において、第２の端末は３ＧＰＰネットワークレイヤにおいて、モニタリングサービスを開始し、従って、第２のＰｒｏＳｅエンティティは第２の端末によって送信される第６のメッセージを受信し、ここで、第６のメッセージは第３の識別情報および第１のアプリケーション識別情報を保持する。
【０１４９】
２０５ｂにおいて、第２のＰｒｏＳｅエンティティは第３の識別情報および第１のアプリケーション識別情報に従い、第４の識別情報を決定する。
【０１５０】
具体的には、第２のＰｒｏＳｅエンティティは、第３の識別情報と、第１のアプリケーション識別情報と、第４の識別情報との間の対応関係を事前格納してよく、第３の識別情報および第１のアプリケーション識別情報を取得した後、第２のＰｒｏＳｅエンティティは当該対応関係に従い、第４の識別情報を決定してよいが、本発明のこの実施形態において特にそのような形態に限定されない。
【０１５１】
２０６ｂにおいて、第２のＰｒｏＳｅエンティティは第７のメッセージをアプリケーションサーバに送信し、ここで、第７のメッセージは第４の識別情報を保持する。
【０１５２】
２０７ｂにおいて、第２のＰｒｏＳｅエンティティはアプリケーションサーバによって送信される第８のメッセージを受信し、ここで、第８のメッセージは第１の識別情報と第２の識別情報との間の対応関係を保持し、第１の識別情報と第２の識別情報との間の対応関係は第４の識別情報に従い、アプリケーションサーバによって決定される。
【０１５３】
具体的には、アプリケーションサーバは、第４の識別情報と、第１の識別情報と第２の識別情報との間の対応関係と、の間の対応関係を格納してよく、従って、第４の識別情報を取得した後、アプリケーションサーバは当該対応関係に従い、第１の識別情報と第２の識別情報との間の対応関係を決定してよいが、本発明のこの実施形態においてそのような形態に特に限定されない。
【０１５４】
２０８ｂにおいて、第２のＰｒｏＳｅエンティティは第９のメッセージを第１のＰｒｏＳｅエンティティに送信し、ここで、第９のメッセージは第１の識別情報および第１のアプリケーション識別情報を保持する。
【０１５５】
２０９ｂにおいて、第２のＰｒｏＳｅエンティティは第１のＰｒｏＳｅエンティティによって送信される第１０のメッセージを受信し、ここで、第１０のメッセージは第１のコードワードを保持し、第１のコードワードは第１の識別情報および第１のアプリケーション識別情報に従い、第１のＰｒｏＳｅエンティティによって決定される。
【０１５６】
具体的には、第１のＰｒｏＳｅエンティティは、第１の識別情報と、第１のアプリケーション識別情報と、第１のコードワードとの間の対応関係を格納してよく、従って、第１の識別情報および第１のアプリケーション識別情報を取得した後、第１のＰｒｏＳｅエンティティは当該対応関係に従い、第１のコードワードを決定してよいが、本発明のこの実施形態においてそのような形態に特に限定されない。
【０１５７】
２１０ｂにおいて、第２のＰｒｏＳｅエンティティは第１１のメッセージを第２の端末に送信し、ここで、第１１のメッセージは第１のコードワードを保持する。
【０１５８】
任意で図５に示される通り、第２のＰｒｏＳｅエンティティが第２の端末によって送信される第１のメッセージを受信する（段階２０１）前に、本発明のこの実施形態において提供されるＰｒｏＳｅ情報送信方法は、さらに以下の複数の段階を含んでよい。
【０１５９】
２０４ｃにおいて、第２のＰｒｏＳｅエンティティはアプリケーションサーバによって送信される第６のメッセージを受信し、ここで、第６のメッセージは第１の識別情報および第２の識別情報の間の対応関係と、第１のアプリケーション識別情報と、第３の識別情報とを保持する。
【０１６０】
具体的には、本発明のこの実施形態において、アプリケーションサーバはアプリケーションレイヤにおいて、モニタリングサービスを開始し、アプリケーションサーバは第３の識別情報、第１の識別情報および第２の識別情報の間の対応関係、および第１のアプリケーション識別情報等の情報を格納してよい。アプリケーションサーバはトリガされた後、第２のＰｒｏＳｅエンティティに対し、第１の識別情報および第２の識別情報の間の対応関係と、第１のアプリケーション識別情報と、第３の識別情報とを保持する第６のメッセージを送信してよいが、本発明のこの実施形態においてそのような形態に限定されない。
【０１６１】
２０５ｃにおいて、第２のＰｒｏＳｅエンティティは第７のメッセージを第１のＰｒｏＳｅエンティティに送信し、ここで、第７のメッセージは第１の識別情報および第１のアプリケーション識別情報を保持する。
【０１６２】
２０６ｃにおいて、第２のＰｒｏＳｅエンティティは第１のＰｒｏＳｅエンティティによって送信される第８のメッセージを受信し、ここで、第８のメッセージは第１のコードワードを保持し、第１のコードワードは第１の識別情報および第１のアプリケーション識別情報に従い、第１のＰｒｏＳｅエンティティによって決定される。
【０１６３】
具体的には、第１のＰｒｏＳｅエンティティは、第１の識別情報と、第１のアプリケーション識別情報と、第１のコードワードとの間の対応関係を格納してよく、従って、第１の識別情報および第１のアプリケーション識別情報を取得した後、第１のＰｒｏＳｅエンティティは当該対応関係に従い、第１のコードワードを決定してよいが、本発明のこの実施形態においてそのような形態に特に限定されない。
【０１６４】
２０７ｃにおいて、第２のＰｒｏＳｅエンティティは第９のメッセージを第２の端末に送信し、ここで、第９のメッセージは第１のコードワードを保持する。
【０１６５】
もちろん、第２のＰｒｏＳｅエンティティが第１のコードワードを保持する第９のメッセージを第２の端末に送信した（段階２０７ｃ）後、方法はさらに以下を含んでよい。第２のＰｒｏＳｅエンティティは、第２の端末によって送信される第１０のメッセージを受信し、ここで、第１０のメッセージは第９のメッセージの応答メッセージである。第２のＰｒｏＳｅエンティティは、第１１のメッセージをアプリケーションサーバに送信し、ここで、第１１のメッセージは第６のメッセージの応答メッセージである。このように、第２のＰｒｏＳｅエンティティは第１０のメッセージに従い、第２の端末が第１のコードワードを取得済みであることを決定できる。アプリケーションサーバは第１１のメッセージに従い、第１のＰｒｏＳｅエンティティが第６のメッセージを取得済みであることを決定できる。従って、ＰｒｏＳｅ情報送信の正確性および信頼性が保証される。
【０１６６】
本発明のこの実施形態における第２のＰｒｏＳｅエンティティ、第１のＰｒｏＳｅエンティティ、第１の端末、第２の端末、第２の識別情報、第１のアプリケーションユーザ、第１のアプリケーション識別情報、第４のコードワード、第３の識別情報、第４の識別情報、および第６の識別情報といった名称の関連する意味については、上記の共通の説明部分への参照がなされてよく、本発明のこの実施形態において詳細は繰り返し記載しない。
【０１６７】
本発明のこの実施形態で提供される上記のＰｒｏＳｅ情報送信方法に基づいて、一態様において、第２のＰｒｏＳｅエンティティは、第２の端末によって送信される第１のメッセージを受信し、ここで、第１のメッセージは第２のＰｒｏＳｅエンティティに第２の識別情報を取得するよう命令するために使用される。さらに、第２のＰｒｏＳｅエンティティは第２の識別情報を取得し、第２の端末に対し、第２の識別情報を保持する第２のメッセージを送信し、ここで、第２の識別情報は第２の端末によって検出される第１のアプリケーションユーザを示すために使用される。第２のＰｒｏＳｅエンティティは第２のアプリケーションユーザが第１のアプリケーションユーザを検出するイベントを認識でき、さらに、第１のＰｒｏＳｅエンティティも第２のアプリケーションユーザが第１のアプリケーションユーザを検出するイベントを認識できることが理解できるであろう。すなわち、ネットワークは、２人のアプリケーションユーザが互いに検出するとイベントを認識でき、従って、それは事業者の経費とネットワークイベントのモニタリングにとって好ましい。別の態様では、ＰｒｏＳｅ情報送信プロセスにおいて、従来技術における端末識別情報は一時的な端末識別情報で置換され、従来技術におけるアプリケーションユーザ識別情報は、アプリケーションユーザ識別情報で置換され、すなわち、端末とＰｒｏＳｅエンティティとの間の３ＧＰＰ通信プロセスにおいて保持される情報は、ＰｒｏＳｅエンティティまたはアプリケーションサーバによって一時的に割り当てられる、対応する情報であり、その情報は個人のプライバシーには帰属しない。従って、３ＧＰＰレイヤでの送信において、潜在的なセキュリティの問題は存在せず、アプリケーションサーバはこの送信方式をサポート可能である。
【０１６８】
本発明のこの実施形態はさらに、図６に具体的に示されるＰｒｏＳｅ情報送信方法を提供する。この実施形態は、以下の複数の段階を含む。
【０１６９】
６０１において、第２の端末は第１の端末によってブロードキャストされる第４のコードワードを取得する。
【０１７０】
６０２において、第２の端末は、第４のコードワードが事前格納されたコードワードに合致する場合、第１のメッセージを第２のＰｒｏＳｅエンティティに送信し、ここで、第１のメッセージは第４のコードワードおよび第１のアプリケーション識別情報を保持する。
【０１７１】
第１のメッセージは第２のＰｒｏＳｅエンティティに第４のコードワードおよび第１のアプリケーション識別情報に対応する第２の識別情報を取得するよう命令するために使用される。
【０１７２】
具体的には、第２の端末は、端末によってブロードキャストされる、第２の端末がモニタリングを所望するいくつかのコードワードを事前格納してよい。例えば、第２の端末が端末Ａによってブロードキャストされるコードワードのモニタリングを所望する場合、第２の端末は当該コードワードを事前格納してよい。このように、モニタリングにより、端末Ａによってブロードキャストされるコードワードを取得した後、第２の端末は格納されたコードワードに従い、事前格納されたコードワードが端末Ａによってブロードキャストされたコードワードを含むことを決定してよい。この場合、端末Ａによってブロードキャストされるコードワードが事前格納されたコードワードに合致すると考えられてよく、段階６０２が実行される。あるいは、第２の端末がモニタリングにより取得されたコードワードを事前格納しない場合、モニタリングにより取得されたコードワードおよび事前格納されたコードワードにマッチングが実行されても、マッチングは失敗する。第２の端末がモニタリングによりコードワードを取得するものの、そのコードワードは第２の端末がモニタリングを予期するコードワードではないと考えられてよく、段階６０２はここでは実行されない。
【０１７３】
６０３において、第２の端末は第２のＰｒｏＳｅエンティティによって送信される第２のメッセージを受信し、ここで、第２のメッセージは第２の識別情報を保持する。
【０１７４】
第２の識別情報は第２の端末によって検出される第１のアプリケーションユーザを示すために使用される。
【０１７５】
６０４において、第２の端末は第２の識別情報に従い、第１のアプリケーションユーザを検出する。
【０１７６】
すなわち、第２の端末は第２の識別情報に従い、第１のアプリケーションユーザが第２の端末の近くにあることを確認する。
【０１７７】
具体的には、第２の端末は第１のアプリケーションのアプリケーションユニットおよび３ＧＰＰ  Ｌａｙｅｒユニットを含んでよい。第２の識別情報を取得した後、第２の端末の３ＧＰＰ  Ｌａｙｅｒユニットは第１のアプリケーション識別情報に従い、第２の識別情報を第２の端末の第１のアプリケーションのアプリケーションユニットに送信してよく、アプリケーションユニットは第２の識別情報に従い、第１のアプリケーションユーザを検出してよい。
【０１７８】
任意で、第２のメッセージは第１のアプリケーション識別情報をさらに保持してよく、ここで第１のアプリケーション識別情報は第２の識別情報に対応する第１のアプリケーションを示すために使用されてよいが、本発明のこの実施形態においてそのような形態に特に限定されない。
【０１７９】
例示であるが、例えば、第１のメッセージがアプリケーション識別情報Ａおよびアプリケーション識別情報Ｂの両方を保持する場合、すなわち、第２のＰｒｏＳｅエンティティが第２のメッセージを第２の端末に送信する場合、第２の端末はアプリケーションＡおよびアプリケーションＢの両方で第４のコードワードを検出する。第２のメッセージは第２の識別情報および第２の識別情報に対応する第１のアプリケーション識別情報を保持する必要がある。
【０１８０】
さらに、図７に示される通り、第４のコードワードが事前格納されたコードワードに合致する場合、および第２の端末が第１の端末によってブロードキャストされた第４のコードワードを取得する（段階６０１）前に、方法は以下の複数の段階をさらに含んでよい。
【０１８１】
６０５ａにおいて、第２の端末は第３のメッセージを第２のＰｒｏＳｅエンティティに送信し、ここで、第３のメッセージは第３の識別情報および第１のアプリケーション識別情報を保持する。
【０１８２】
６０６ａにおいて、第２の端末は第２のＰｒｏＳｅエンティティによって送信される第４のメッセージを受信し、ここで、第４のメッセージは第４のコードワードを保持する。
【０１８３】
６０７ａにおいて、第２の端末は第４のコードワードを格納する。
【０１８４】
任意で、図８に示される通り、第４のコードワードが事前格納されたコードワードに合致する場合、および第２の端末が第１の端末によってブロードキャストされる第４のコードワードを取得する（段階６０１）前に、方法は以下の複数の段階をさらに含んでよい。
【０１８５】
６０５ｂにおいて、第２の端末は第３のメッセージを第２のＰｒｏＳｅエンティティに送信し、ここで、第３のメッセージは第１の情報と、第４の識別情報と、第１のアプリケーション識別情報とを保持し、第１の情報は第３の識別情報または第６の識別情報を含む。
【０１８６】
６０６ｂにおいて、第２の端末は第２のＰｒｏＳｅエンティティによって送信される第４のメッセージを受信し、ここで、第４のメッセージは第４のコードワードを保持する。
【０１８７】
具体的には、第４のメッセージを受信した後の段階について、第２のＰｒｏＳｅエンティティは第３の識別情報および第１のアプリケーション識別情報に従い、第４のコードワードを取得する。第２のＰｒｏＳｅエンティティについての記載を参照してよく、本発明のこの実施形態において詳細は繰り返し記載しない。
【０１８８】
６０７ｂにおいて、第２の端末は第４のコードワードを格納する。
【０１８９】
具体的には、第２の端末は段階６０７ａまたは６０７ｂで第４のコードワードを格納してよいので、第１の端末によってブロードキャストされる第１のコードワードをモニタリングにより取得した後、第２の端末は格納されたコードワードに従い、第４のコードワードが事前格納されたコードワードに合致することを決定してよい。
【０１９０】
本発明のこの実施形態における第１の端末、第２の端末、第４のコードワード、第１のアプリケーション識別情報、第２のＰｒｏＳｅエンティティ、第２の識別情報、第１のアプリケーションユーザ、および第３の識別情報といった名称の関連する意味については、上記の共通の説明部分への参照がなされてよく、本発明のこの実施形態において詳細は繰り返し記載しない。
【０１９１】
本発明のこの実施形態において提供される上記のＰｒｏＳｅ情報送信方法に基づいて、一態様において、第２の端末が第１の端末によってブロードキャストされる第４のコードワードを取得した後、および第４のコードワードが事前格納されたコードワードに合致する場合、第２の端末はさらに、第２のＰｒｏＳｅエンティティに対し、第４のコードワードおよび第１のアプリケーション識別情報を保持する第１のメッセージを送信する。このように、第２のＰｒｏＳｅエンティティは第４のコードワードおよび第１のアプリケーション識別情報に従い、第２の識別情報を取得でき、ここで、第２の識別情報は第２の端末によって検出される第１のアプリケーションユーザを示すために使用される。第２のＰｒｏＳｅエンティティは第２のアプリケーションユーザが第１のアプリケーションユーザを検出するイベントを認識でき、さらに、第１のＰｒｏＳｅエンティティも第２のアプリケーションユーザが第１のアプリケーションユーザを検出するイベントを認識できることが理解できるであろう。すなわち、ネットワークは、２人のアプリケーションユーザが互いに検出するイベントを認識でき、従って、それは事業者の経費とネットワークイベントのモニタリングにとって好ましい。別の態様では、ＰｒｏＳｅ情報送信プロセスにおいて、従来技術における端末識別情報は一時的な端末識別情報で置換され、従来技術におけるアプリケーションユーザ識別情報は、アプリケーションユーザ識別情報で置換され、すなわち、端末とＰｒｏＳｅエンティティとの間の３ＧＰＰ通信プロセスで保持される情報は、ＰｒｏＳｅエンティティまたはアプリケーションサーバによって一時的に割り当てられる対応する情報であり、その情報は個人のプライバシーには帰属しない。従って、３ＧＰＰレイヤでの送信において、潜在的なセキュリティの問題は存在せず、アプリケーションサーバはこの送信方式をサポート可能である。
【０１９２】
本発明のこの実施形態は、ＰｒｏＳｅ情報送信方法を提供する。具体的には、図９に示される通り、方法は以下の複数の段階を含む。
【０１９３】
９０１において、第２の端末は第１の端末によってブロードキャストされる第１のコードワードを取得する。
【０１９４】
９０２において、第２の端末は、第１のコードワードが事前格納されたコードワードに合致する場合、第１のメッセージを第２のＰｒｏＳｅエンティティに送信し、ここで、第１のメッセージは第１のコードワードを保持する。
【０１９５】
具体的には、第２の端末は、端末によってブロードキャストされる、第２の端末がモニタリングを所望するいくつかのコードワードを事前格納してよい。例えば、第２の端末が端末Ａによってブロードキャストされるコードワードのモニタリングを所望する場合、第２の端末は当該コードワードを事前格納してよい。このように、端末Ａによってブロードキャストされるコードワードをモニタリングにより取得した後、第２の端末は当該格納されたコードワードに従い、事前格納されたコードワードが端末Ａによってブロードキャストされるコードワードを含むことを決定してよい。この場合、端末Ａによってブロードキャストされるコードワードが事前格納されたコードワードに合致すると考えられてよく、段階９０２が実行される。あるいは、第２の端末が検出されたコードワードを事前格納しない場合、検出されたコードワードおよび事前格納されたコードワードにマッチングが実行されても、マッチングは失敗する。第２の端末はモニタリングによりコードワードを取得するものの、当該コードワードは第２の端末がモニタリングを予期するコードワードではないと考えられてよく、段階９０２はここでは実行されない。
【０１９６】
９０３において、第２の端末は第２のＰｒｏＳｅエンティティによって送信される第２のメッセージを受信し、ここで、第２のメッセージは第２の識別情報を保持し、第２の識別情報は第１のアプリケーションユーザを検出するよう命令するために使用される。
【０１９７】
第２の識別情報は第１のコードワードに従い、第２のＰｒｏＳｅエンティティによって決定される。
【０１９８】
具体的には、第２の端末は第１のアプリケーションのアプリケーションユニットおよび３ＧＰＰ  Ｌａｙｅｒユニットを含んでよい。第２の識別情報を取得した後、第２の端末の３ＧＰＰ  Ｌａｙｅｒユニットは第１のコードワード内のＡＰＰ  ＩＤに関する情報に従い、第１のコードワードに対応するアプリケーション識別情報は第１のアプリケーション識別情報であると決定してよい。その後、第２の端末の３ＧＰＰ  Ｌａｙｅｒユニットは第１のアプリケーション識別情報に従い、第２の識別情報を第２の端末の第１のアプリケーションのアプリケーションユニットに送信してよく、アプリケーションユニットは第２の識別情報に従い、第１のアプリケーションユーザを検出してよい。
【０１９９】
段階９０３において、第２のメッセージは第１のアプリケーション識別情報をさらに保持してよいことに留意すべきである。このように、第２の識別情報および第１のアプリケーション識別情報を取得した後、第２の端末の３ＧＰＰ  Ｌａｙｅｒユニットは第１のアプリケーション識別情報に従い、第２の識別情報を第２の端末の第１のアプリケーションのアプリケーションユニットに送信してよく、アプリケーションユニットは、第２の識別情報に従い、第１のアプリケーションユーザを検出してよい。本発明のこの実施形態において、この事例に特に限定するものではない。
【０２００】
さらに、図１０に示される通り、第１のコードワードが事前格納されたコードワードに合致する場合、および第２の端末が第１のコードワードを取得する（段階９０１）前に、本発明のこの実施形態において提供されるＰｒｏＳｅ情報送信方法は、以下の複数の段階をさらに含んでよい。
【０２０１】
９０４ａにおいて、第２の端末は第３のメッセージを第２のＰｒｏＳｅエンティティに送信し、ここで、第３のメッセージは第３の識別情報および第１のアプリケーション識別情報を保持する。
【０２０２】
９０５ａにおいて、第２の端末は第２のＰｒｏＳｅエンティティによって送信される第４のメッセージを受信し、ここで、第４のメッセージは第１のコードワードを保持する。
【０２０３】
第１のコードワードは第３の識別情報および第１のアプリケーション識別情報に従い、第２のＰｒｏＳｅエンティティによって決定される。
【０２０４】
具体的には、第２のＰｒｏＳｅエンティティは第３の識別情報と、第１のアプリケーション識別情報と、第４の識別情報との間の対応関係を事前格納してよい。第３の識別情報および第１のアプリケーション識別情報を取得した後、第２のＰｒｏＳｅエンティティは当該対応関係に従い、第４の識別情報を決定してよく、さらに、第２のＰｒｏＳｅエンティティは第４の識別情報に従い、アプリケーションサーバから第１の識別情報と第２の識別情報との間の対応関係を取得してよく、さらに第２のＰｒｏＳｅエンティティは第１の識別情報に従い、第１のＰｒｏＳｅエンティティから第１のコードワードを取得してよいが、本発明のこの実施形態においてそのような形態に特に限定されない。
【０２０５】
９０６ａにおいて、第２の端末は第１のコードワードを格納する。
【０２０６】
任意で、図１１に示される通り、第２の端末が第１のコードワードを取得する（段階９０１）前に、本発明のこの実施形態において提供されるＰｒｏＳｅ情報送信方法は、以下の複数の段階をさらに含んでよい。
【０２０７】
９０４ｂにおいて、アプリケーションサーバがトリガされる場合、第２の端末は第２のＰｒｏＳｅエンティティによって送信される第３のメッセージを受信し、ここで、第３のメッセージは第１のコードワードを保持する。
【０２０８】
９０５ｂにおいて、第２の端末は第１のコードワードを格納する。
【０２０９】
具体的には、第２の端末は段階９０６ａまたは段階９０５ｂで第１のコードワードを格納してよいので、第１の端末によってブロードキャストされた第１のコードワードをモニタリングにより取得した後、第２の端末は当該格納されたコードワードに従い、第１のコードワードが事前格納されたコードワードと合致することを決定してよい。
【０２１０】
もちろん、段階９０４ｂの後、第２の端末は第４のメッセージを第２のＰｒｏＳｅエンティティにさらに送信してよく、ここで、第４のメッセージは第３のメッセージの応答メッセージである。このように、第２のＰｒｏＳｅエンティティは第４のメッセージに従い、第２の端末が第１のコードワードを取得済みであることを決定してよい。従って、ＰｒｏＳｅ情報送信の正確性および信頼性が保証される。
【０２１１】
本発明のこの実施形態における第１の端末、第２の端末、第１のコードワード、第１のＰｒｏＳｅエンティティ、第２のＰｒｏＳｅエンティティ、第１のアプリケーション識別情報、第１のアプリケーションユーザ、第２の識別情報、および第３の識別情報といった名称の関連する意味については、上記の共通の説明部分への参照がなされてよく、本発明のこの実施形態において詳細は繰り返し記載しない。
【０２１２】
本発明のこの実施形態において提供される上記のＰｒｏＳｅ情報送信方法に基づいて、一態様において、第２の端末が第１の端末によってブロードキャストされる第１のコードワードを取得した後、および第１のコードワードが事前格納されたコードワードに合致する場合、第２の端末はさらに、第２のＰｒｏＳｅエンティティに対し、第１のコードワードを保持する第１のメッセージを送信する。このように、第２のＰｒｏＳｅエンティティは第１のコードワードに従い、第２の識別情報を決定でき、ここで、第２の識別情報は第１のアプリケーションユーザを検出するよう命令するために使用される。第２のＰｒｏＳｅエンティティは第２のアプリケーションユーザが第１のアプリケーションユーザを検出するイベントを認識でき、さらに、第１のＰｒｏＳｅエンティティも第２のアプリケーションユーザが第１のアプリケーションユーザを検出するイベントを認識できることが理解できるであろう。すなわち、ネットワークは、２人のアプリケーションユーザが互いに検出するイベントを認識でき、従って、それは事業者の経費とネットワークイベントのモニタリングにとって好ましい。別の態様では、ＰｒｏＳｅ情報送信プロセスにおいて、従来技術における端末識別情報は一時的な端末識別情報で置換され、従来技術におけるアプリケーションユーザ識別情報は、アプリケーションユーザ識別情報で置換され、すなわち、端末とＰｒｏＳｅエンティティとの間の３ＧＰＰ通信プロセスで保持される情報は、ＰｒｏＳｅエンティティまたはアプリケーションサーバによって一時的に割り当てられる対応する情報であり、その情報は個人のプライバシーには帰属しない。従って、３ＧＰＰレイヤでの送信において、潜在的なセキュリティの問題は存在せず、アプリケーションサーバはこの送信方式をサポート可能である。
【０２１３】
本発明のこの実施形態はさらに、図１２に具体的に示されるＰｒｏＳｅ情報送信方法を提供する。この実施形態は、以下の複数の段階を含む。
【０２１４】
１２０１において、第１のＰｒｏＳｅエンティティは第１の端末によって送信される第１のメッセージを受信し、ここで、第１のメッセージは第２の情報および第１のアプリケーション識別情報を保持し、第２の情報は第１の識別情報または第７の識別情報を含む。
【０２１５】
１２０２において、第１のＰｒｏＳｅエンティティは第２のメッセージを第１の端末に送信し、ここで、第２のメッセージは第１のＰｒｏＳｅエンティティが第１の端末に、第１のアプリケーションにブロードキャストを実行することを許容することを示すために使用される。
【０２１６】
具体的には、第１の端末によって送信される第１のメッセージを受信した後、第１のＰｒｏＳｅエンティティは第１のメッセージ内の第２の情報に従い、第１の端末に第１のアプリケーションへのブロードキャストの実行を許容するかどうかを決定してよいが、本発明のこの実施形態においてそのような形態に特に限定されない。
【０２１７】
可能な実装方式において、第２の情報が第７の識別情報を含む場合、第１のＰｒｏＳｅエンティティが第１の端末によって送信される第１のメッセージを受信した（段階１２０１）後、および第１のＰｒｏＳｅエンティティが第２のメッセージを第１の端末に送信する（段階１２０２）前に、方法はさらに、第１のＰｒｏＳｅエンティティは、第１の識別情報および第４のコードワードを第１の端末に割り当てることを含んでよく、第１のＰｒｏＳｅエンティティが第２のメッセージを第１の端末に送信する（段階１２０２）ことは、具体的には、第２のＰｒｏＳｅエンティティは第２のメッセージを第１の端末に送信し、ここで、第２のメッセージは第１の識別情報および第４のコードワードを保持することを含んでよい。
【０２１８】
すなわち、本発明のこの実施形態において、第１の端末によってブロードキャストされる第４のコードワードは、第１の端末の登録プロセスにおいて第１のＰｒｏＳｅエンティティによって第１の端末に割り当てられてよく、または第１の端末によってブロードキャストされる第４のコードワードは、第１の端末のブロードキャストプロセスにおいて第１のＰｒｏＳｅエンティティによって第１の端末に割り当てられてよいが、本発明のこの実施形態においてそのような形態に特に限定されない。
【０２１９】
さらに、第１のメッセージは第２の識別情報をさらに保持してよく、第１のＰｒｏＳｅエンティティが第１の端末によって送信される第１のメッセージを受信した（段階１２０１）という後、および第１のＰｒｏＳｅエンティティが第２のメッセージを第１の端末に送信する（段階１２０２）前に、方法はさらに以下を含んでよい：第１のＰｒｏＳｅエンティティは第３のメッセージを第１のアプリケーションサーバに送信し、ここで、第３のメッセージは第１の識別情報および第２の識別情報を保持すること、および、第１のＰｒｏＳｅエンティティは第１のアプリケーションサーバによって送信される第４のメッセージを受信し、ここで、第４のメッセージは、第１のアプリケーションサーバが第１の端末に第１のアプリケーションへのブロードキャストの実行を許容することを示すために使用されること。
【０２２０】
可能な実装方式において、第１のメッセージは第２の識別情報をさらに保持してよい。
【０２２１】
第２の情報が第１の識別情報を含む場合、第１のＰｒｏＳｅエンティティが第１の端末によって送信される第１のメッセージを受信した（段階１２０１）後、および第１のＰｒｏＳｅエンティティが第２のメッセージを第１の端末に送信する（段階１２０２）前に、方法はさらに以下を含んでよい：第１のＰｒｏＳｅエンティティは第３のメッセージを第１のアプリケーションサーバに送信し、ここで、第３のメッセージは第２の識別情報を保持すること、および、第１のＰｒｏＳｅエンティティは第１のアプリケーションサーバによって送信される第４のメッセージを受信し、ここで、第４のメッセージは、第１のアプリケーションサーバが第１の端末に第１のアプリケーションへのブロードキャストの実行を許容することを示すために使用されること。
【０２２２】
可能な実装方式において、第２の情報が第１の識別情報を含む場合、第１のＰｒｏＳｅエンティティが第１の端末によって送信される第１のメッセージを受信した（段階１２０１）後、および第１のＰｒｏＳｅエンティティが第２のメッセージを第１の端末に送信する（段階１２０２）前に、方法はさらに以下を含んでよい：第１のＰｒｏＳｅエンティティは第３のメッセージを第１のアプリケーションサーバに送信し、ここで、第３のメッセージは第１の識別情報を保持すること、および、第１のＰｒｏＳｅエンティティは第１のアプリケーションサーバによって送信される第４のメッセージを受信し、ここで、第４のメッセージは、第１のアプリケーションサーバが第１の端末に第１のアプリケーションへのブロードキャストの実行を許容することを示すために使用されること。
【０２２３】
任意で、上記の第４のメッセージは第２の識別情報をさらに保持してよく、第１のＰｒｏＳｅエンティティが第１のアプリケーションサーバによって送信される第４のメッセージを受信した後、方法はさらに第１のＰｒｏＳｅエンティティによって第２の識別情報を格納する段階を含んでよい。
【０２２４】
本発明のこの実施形態において、これに特に限定するものではない。
【０２２５】
さらに、本発明のこの実施形態において第４のメッセージは第３の識別情報をさらに保持してよく、第１のＰｒｏＳｅエンティティは第３の識別情報をさらに格納してよいが、本発明のこの実施形態においてそのような形態に特に限定されない。
【０２２６】
さらに、図１３に示される通り、第１のＰｒｏＳｅエンティティが第２のメッセージを第１の端末に送信した（段階１２０２）という後、方法は以下の複数の段階をさらに含んでよい。
【０２２７】
１２０３において、第１のＰｒｏＳｅエンティティは第２のＰｒｏＳｅエンティティによって送信される第５のメッセージを受信し、ここで、第５のメッセージは第１の識別情報を保持し、第５のメッセージは第１のＰｒｏＳｅエンティティに第１の識別情報に対応する第４のコードワードを取得するよう命令するために使用される。
【０２２８】
１２０４において、第１のＰｒｏＳｅエンティティは第４のコードワードを取得する。
【０２２９】
１２０５において、第１のＰｒｏＳｅエンティティは、第６のメッセージを第２のＰｒｏＳｅエンティティに送信し、ここで、第６のメッセージは第４のコードワードを保持する。
【０２３０】
任意で、第５のメッセージは第３の識別情報をさらに保持してよい。
【０２３１】
第１のＰｒｏＳｅエンティティが第２のＰｒｏＳｅエンティティによって送信される第５のメッセージを受信した（段階１２０３）後、方法はさらに、第１のＰｒｏＳｅエンティティが第３の識別情報を格納することを含んでよい。
【０２３２】
本発明のこの実施形態において、これに特に限定するものではない。
【０２３３】
さらに、図１４に示される通り、第１のＰｒｏＳｅエンティティが第２のメッセージを第１の端末に送信した（段階１２０２）後、方法は以下の複数の段階をさらに含んでよい。
【０２３４】
１２０６において、第１のＰｒｏＳｅエンティティは第２のＰｒｏＳｅエンティティによって送信される第７のメッセージを受信し、ここで、第７のメッセージは第４のコードワードおよび第１のアプリケーション識別情報を保持し、第７のメッセージは第１のＰｒｏＳｅエンティティに第１のコードワードおよび第１のアプリケーション識別情報に対応する第２の識別情報を取得するよう命令するために使用される。
【０２３５】
１２０７において、第１のＰｒｏＳｅエンティティは第２の識別情報を取得する。
【０２３６】
１２０８において、第１のＰｒｏＳｅエンティティは第８のメッセージを第２のＰｒｏＳｅエンティティに送信し、ここで、第８のメッセージは第２の識別情報を保持する。
【０２３７】
任意で、第８のメッセージは第１のアプリケーション識別情報をさらに保持してよく、ここで、第１のアプリケーション識別情報は第２の識別情報に対応する第１のアプリケーションを示すために使用されてよいが、本発明のこの実施形態においてそのような形態に特に限定されない。
【０２３８】
さらに、第１のＰｒｏＳｅエンティティが第２のＰｒｏＳｅエンティティによって送信される第７のメッセージを受信した（段階１２０６）後、および第１のＰｒｏＳｅエンティティが第８のメッセージを第２のＰｒｏＳｅエンティティに送信する（段階１２０８）前、方法はさらに以下を含んでよい：第１のＰｒｏＳｅエンティティは、第２の端末が第１のアプリケーションユーザを検出する権限が付与されているかを決定すること。
【０２３９】
第１のＰｒｏＳｅエンティティが、第２の端末が第１のアプリケーションユーザを検出する権限が付与されていると決定した場合、段階１２０８が実行される。
【０２４０】
すなわち、第８のメッセージを第２のＰｒｏＳｅエンティティに送信する前に、第１のＰｒｏＳｅエンティティはさらに、第２の端末が第１のアプリケーションユーザを検出する権限が付与されているかをまず決定する必要がある。第２の端末が第１のアプリケーションユーザを検出する権限が付与されていると決定した後、第１のＰｒｏＳｅエンティティは第８のメッセージを第２の端末に送信し、それにより、モニタリングプロセスの有効性をさらに保証し、従って、ネットワークセキュリティを保証する。
【０２４１】
可能な実装方式において、第１のＰｒｏＳｅエンティティが、第２の端末が第１のアプリケーションユーザを検出する権限が付与されているかを決定することは、具体的に以下を含んでよい：第１のＰｒｏＳｅエンティティは第３の識別情報を格納するかどうかを決定すること、および、第１のＰｒｏＳｅエンティティが第３の識別情報を格納すると決定する場合、第１のＰｒｏＳｅエンティティは、第２の端末が第１のアプリケーションユーザを検出する権限が付与されていると決定すること。
【０２４２】
すなわち、第１のＰｒｏＳｅエンティティはモニタリングプロセスにおいて第３の識別情報を格納する場合、第３の識別情報に従い、マッチングプロセスにおいて、第２の端末が第１のアプリケーションユーザを検出する権限が付与されていると決定されてよい。
【０２４３】
可能な実装方式において、第７のメッセージは第３の識別情報を保持し、ここで、第３の識別情報は、第２の端末が第１のアプリケーションユーザを検出する権限が付与されているかを決定すべく、第１のＰｒｏＳｅエンティティによって使用される。
【０２４４】
さらに、第４のコードワードは第１の識別情報を決定するために第１のＰｒｏＳｅエンティティによってさらに使用され、第１のＰｒｏＳｅエンティティが第２のＰｒｏＳｅエンティティによって送信される第７のメッセージを受信した（段階１２０６）後、および第１のＰｒｏＳｅエンティティが第８のメッセージを第２のＰｒｏＳｅエンティティに送信する（段階１２０８）前、方法はさらに以下を含んでよい：第１のＰｒｏＳｅエンティティは第９のメッセージを第１のアプリケーションサーバに送信し、ここで、第９のメッセージは第１の識別情報を保持すること、および、第１のＰｒｏＳｅエンティティは第１のアプリケーションサーバによって送信される第１０のメッセージを受信し、ここで、第１０のメッセージは、第１のアプリケーションサーバが第１の端末に第１のアプリケーションへのブロードキャストの実行を許容することを示すために使用されること。
【０２４５】
すなわち、第８のメッセージを第２のＰｒｏＳｅエンティティに送信する前に、第１のＰｒｏＳｅエンティティは第１のアプリケーションサーバとさらにやり取りしてよく、その結果、第１の端末によって第１のアプリケーションに実行されるブロードキャストが有効であるかは、第１のアプリケーションサーバを使用することによって決定される。第１のアプリケーションサーバが第１の端末に第１のアプリケーションへのブロードキャストの実行を許容した後、第８のメッセージは第２のＰｒｏＳｅエンティティに送信され、それはブロードキャストプロセスの有効性をさらに保証し、従って、ネットワークセキュリティを保証する。
【０２４６】
本発明のこの実施形態における第１のＰｒｏＳｅエンティティ、第２のＰｒｏＳｅエンティティ、第１の端末、第２の端末、第１の識別情報、第４のコードワード、第７の識別情報、第１のアプリケーションサーバ、第３の識別情報、第１のアプリケーション識別情報、第２の識別情報、および第１のアプリケーションユーザといった名称の関連する意味については、上記の共通の説明部分への参照がなされてよく、詳細はここに繰り返し記載しない。
【０２４７】
本発明のこの実施形態において提供される上記のＰｒｏＳｅ情報送信方法に基づいて、一態様において、第１の端末のブロードキャストプロセスにおいて、第１のＰｒｏＳｅエンティティは第１の端末によって送信される第１のメッセージを受信してよい。このように、第１のＰｒｏＳｅエンティティは、第１の端末がブロードキャストを実行するイベントを取得でき、従って、それは事業者の経費とネットワークイベントのモニタリングにとって好ましい。別の態様では、ＰｒｏＳｅ情報送信プロセスにおいて、従来技術における端末識別情報は一時的な端末識別情報で置換され、従来技術におけるアプリケーションユーザ識別情報は、アプリケーションユーザ識別情報で置換され、すなわち、端末とＰｒｏＳｅエンティティとの間の３ＧＰＰ通信プロセスで保持される情報は、ＰｒｏＳｅエンティティまたはアプリケーションサーバによって一時的に割り当てられた対応する情報であり、その情報は個人のプライバシーには帰属しない。従って、３ＧＰＰレイヤでの送信において、潜在的なセキュリティの問題は存在せず、アプリケーションサーバはこの送信方式をサポート可能である。
【０２４８】
本発明のこの実施形態はさらに、図１５に具体的に示されるＰｒｏＳｅ情報送信方法を提供する。この実施形態は、以下の複数の段階を含む。
【０２４９】
１５０１において、第１の端末は第１のメッセージを第１のＰｒｏＳｅエンティティに送信し、ここで、第１のメッセージは第２の情報および第１のアプリケーション識別情報を保持し、第２の情報は第１の識別情報または第７の識別情報を含む。
【０２５０】
１５０２において、第１の端末は第１のＰｒｏＳｅエンティティによって送信される第２のメッセージを受信し、ここで、第２のメッセージは、第１のＰｒｏＳｅエンティティが第１の端末に第１のアプリケーションへのブロードキャストの実行を許容することを示すために使用される。
【０２５１】
１５０３において、第１のＰｒｏＳｅエンティティは第４のコードワードをブロードキャストする。
【０２５２】
任意で、第１のメッセージは第２の識別情報をさらに保持してよいが、本発明のこの実施形態においてそのような形態に特に限定されない。
【０２５３】
第２の識別情報は第１の端末の第１のアプリケーションユーザを示すために使用される。
【０２５４】
さらに、第２の情報が第７の識別情報を含む場合、第２のメッセージは第４のコードワードおよび第１の識別情報をさらに保持してよいが、本発明のこの実施形態においてそのような形態に特に限定されない。
【０２５５】
本発明のこの実施形態において、第１の端末によってブロードキャストされる第４のコードワードは、第１の端末の登録プロセスにおいて第１のＰｒｏＳｅエンティティによって第１の端末に割り当てられてよく、または第１の端末によってブロードキャストされる第４のコードワードは、第１の端末のブロードキャストプロセスにおいて第１のＰｒｏＳｅエンティティによって第１の端末に割り当てられてよいが、本発明のこの実施形態においてそのような形態に特に限定されないことに留意すべきである。
【０２５６】
本発明のこの実施形態における第１の端末、第１のＰｒｏＳｅエンティティ、第１のアプリケーション識別情報、第１の識別情報、第７の識別情報、第４のコードワード、および第２の識別情報といった名称の関連する意味については、上記の共通の説明部分への参照がなされてよく、本発明のこの実施形態において詳細は繰り返し記載しない。
【０２５７】
本発明のこの実施形態で提供される上記のＰｒｏＳｅ情報送信方法に基づいて、一態様において、第１の端末のブロードキャストプロセスにおいて、第１の端末は第１のメッセージを第１のＰｒｏＳｅエンティティに送信する。このように、第１のＰｒｏＳｅエンティティは、第１の端末がブロードキャストを実行するイベントを取得でき、従って、それは事業者の経費とネットワークイベントのモニタリングにとって好ましい。別の態様では、ＰｒｏＳｅ情報送信プロセスにおいて、従来技術における端末識別情報は一時的な端末識別情報で置換され、従来技術におけるアプリケーションユーザ識別情報は、アプリケーションユーザ識別情報で置換され、すなわち、端末とＰｒｏＳｅエンティティとの間の３ＧＰＰ通信プロセスで保持される情報は、ＰｒｏＳｅエンティティまたはアプリケーションサーバによって一時的に割り当てられる対応する情報であり、その情報は個人のプライバシーには帰属しない。従って、３ＧＰＰレイヤでの送信において、潜在的なセキュリティの問題は存在せず、アプリケーションサーバはこの送信方式をサポート可能である。
［実施形態２］
【０２５８】
本発明のこの実施形態は、ＰｒｏＳｅ情報送信方法を提供し、それは一例として、第１の端末と、第２の端末と、第１のＰｒｏＳｅエンティティと、第２のＰｒｏＳｅエンティティ、第１のアプリケーションサーバとの間のやり取りを使用して具体的に記載される。図１６に示される通り、方法は以下の複数の段階を含む。
【０２５９】
１６０１において、第２の端末は第１の端末によってブロードキャストされる第４のコードワードを取得する。
【０２６０】
１６０２において、第２の端末は、第４のコードワードが事前格納されたコードワードに合致する場合、メッセージ１を第２のＰｒｏＳｅエンティティに送信し、ここで、メッセージ１は第４のコードワードおよび第１のアプリケーション識別情報を保持する。
【０２６１】
１６０３において、第２のＰｒｏＳｅエンティティはメッセージ１を受信する。
【０２６２】
１６０４において、第２のＰｒｏＳｅエンティティはメッセージ２を第１のＰｒｏＳｅエンティティに送信し、ここで、メッセージ２は第４のコードワードおよび第１のアプリケーション識別情報を保持する。
【０２６３】
１６０５において、第１のＰｒｏＳｅエンティティはメッセージ２を受信し、メッセージ２に従い、第４のコードワードおよび第１のアプリケーション識別情報に対応する第２の識別情報を取得する。
【０２６４】
１６０６において、第１のＰｒｏＳｅエンティティはメッセージ３を第２のＰｒｏＳｅエンティティに送信し、ここで、メッセージ３は第２の識別情報を保持する。
【０２６５】
任意で、メッセージ３は第１のアプリケーション識別情報をさらに保持してよく、ここで、第１のアプリケーション識別情報は第２の識別情報に対応する第１のアプリケーションを示すために使用されてよいが、本発明のこの実施形態においてそのような形態に特に限定されない。
【０２６６】
１６０７において、第２のＰｒｏＳｅエンティティはメッセージ３を受信する。
【０２６７】
１６０８において、第２のＰｒｏＳｅエンティティはメッセージ４を第２の端末に送信し、ここで、メッセージ４は第２の識別情報を保持し、第２の識別情報は第１のアプリケーションユーザを検出するよう命令するために使用される。
【０２６８】
すなわち、第２の識別情報は、第１のアプリケーションユーザが第２の端末の近くにいることを示すために使用される。
【０２６９】
任意で、メッセージ４は第１のアプリケーション識別情報をさらに保持してよく、ここで、第１のアプリケーション識別情報は、第２の識別情報に対応する第１のアプリケーションを示すために使用されてよいが、本発明のこの実施形態においてそのような形態に特に限定されない。
【０２７０】
段階１６０４から段階１６０８までは、第２のＰｒｏＳｅエンティティが第４のコードワードおよび第１のアプリケーション識別情報に従い、第２の識別情報を取得する、可能な実装方式にすぎないことに留意すべきである。代替的に、メッセージ１を受信した後、第２のＰｒｏＳｅエンティティは、メッセージ１に保持される第４のコードワードおよび第１のアプリケーション識別情報に従い、および第４のコードワードと、第１のアプリケーション識別情報と、第２の識別情報との間の事前格納された対応関係を参照して、第２の識別情報を直接取得してよい。または、第２の識別情報は他の複数の段階を使用して取得されてよいが、本発明のこの実施形態においてそのような形態に特に限定されない。
【０２７１】
１６０９において、第２の端末はメッセージ４を受信し、第２の識別情報に従い、第１のアプリケーションユーザを検出する。
【０２７２】
すなわち、メッセージ４を受信した後、第２の端末は第２の識別情報に従い、第１のアプリケーションユーザが第２の端末の近くにいることを確認する。
【０２７３】
段階１６０１から段階１６０９までの特定の実装方式については、実施形態１の対応する段階についての関連する記載へ参照がなされてよく、本発明のこの実施形態において詳細は繰り返し記載しない。
【０２７４】
第１のＰｒｏＳｅエンティティがメッセージ２を受信し、メッセージ２に従い、第４のコードワードおよび第１のアプリケーション識別情報に対応する第２の識別情報を取得した（段階１６０５）後、および第１のＰｒｏＳｅエンティティが第２の識別情報を保持するメッセージ３を第２のＰｒｏＳｅエンティティに送信する（段階１６０６）前、第１のＰｒｏＳｅエンティティはさらに、まず、第２の端末が第１のアプリケーションユーザを検出する権限が付与されているかを決定してよいことに留意すべきである。特定の実装については、実施形態１の第１のＰｒｏＳｅエンティティに関する説明への参照がなされてよく、詳細はここに繰り返し記載しない。
【０２７５】
さらに、図１７に示される通り、第２の端末が第１の端末によってブロードキャストされる第４のコードワードを取得する（段階１６０１）前、本発明のこの実施形態において提供されるＰｒｏＳｅ情報送信方法は、以下のモニタリングプロセスをさらに含んでよい。
【０２７６】
１７０１において、第２の端末はメッセージ１を第２のＰｒｏＳｅエンティティに送信し、ここで、メッセージ１は第３の識別情報および第１のアプリケーション識別情報を保持する。
【０２７７】
１７０２において、第２のＰｒｏＳｅエンティティはメッセージ１を受信する。
【０２７８】
１７０３において、第２のＰｒｏＳｅエンティティは第１のアプリケーション識別情報に従い、メッセージ２を第１のアプリケーションサーバに送信し、ここで、メッセージ２は第３の識別情報を保持する。
【０２７９】
１７０４において、第１のアプリケーションサーバはメッセージ２を受信する。
【０２８０】
１７０５において、第１のアプリケーションサーバは第３の識別情報に従い、第１の識別情報を決定する。
【０２８１】
任意で、第１のアプリケーションサーバは第３の識別情報に従い、第２の識別情報をさらに決定してよい。
【０２８２】
１７０６において、第１のアプリケーションサーバはメッセージ３を第２のＰｒｏＳｅエンティティに送信し、ここで、メッセージ３は第１の識別情報を保持する。
【０２８３】
１７０７において、第２のＰｒｏＳｅエンティティはメッセージ３を受信する。
【０２８４】
任意で、第１のアプリケーションサーバは第３の識別情報に従い、第２の識別情報をさらに決定してよく、メッセージ３は第２の識別情報をさらに保持してよく、その結果、第２のＰｒｏＳｅエンティティは第２の識別情報を格納してよいが、本発明のこの実施形態においてそのような形態に特に限定されない。
【０２８５】
１７０８において、第２のＰｒｏＳｅエンティティはメッセージ４を第１のＰｒｏＳｅエンティティに送信し、ここで、メッセージ４は第１の識別情報を保持する。
【０２８６】
１７０９において、第１のＰｒｏＳｅエンティティはメッセージ４を受信する。
【０２８７】
１７１０において、第１のＰｒｏＳｅエンティティは第１の識別情報に従い、第４のコードワードを決定する。
【０２８８】
任意で、メッセージ４は第３の識別情報をさらに保持してよく、その結果、メッセージ４を受信した後、第１のＰｒｏＳｅエンティティは第３の識別情報を格納してよいが、本発明のこの実施形態においてそのような形態に特に限定されない。
【０２８９】
１７１１において、第１のＰｒｏＳｅエンティティはメッセージ５を第２のＰｒｏＳｅエンティティに送信し、ここで、メッセージ５は第４のコードワードを保持する。
【０２９０】
１７１２において、第２のＰｒｏＳｅエンティティはメッセージ５を受信する。
【０２９１】
１７１３において、第２のＰｒｏＳｅエンティティはメッセージ６を第２の端末に送信し、ここで、メッセージ６は第４のコードワードを保持する。
【０２９２】
１７１４において、第２の端末はメッセージ６を受信し、第４のコードワードを格納する。
【０２９３】
段階１７０１から段階１７１４までの特定の実装方式については、実施形態１での対応する段階についての関連する記載へ参照がなされてよく、本発明のこの実施形態において詳細は繰り返し記載しない。
【０２９４】
任意で、図１８に示される通り、第２の端末が第１の端末によってブロードキャストされる第４のコードワードを取得した（段階１６０１）前に、本発明のこの実施形態において提供されるＰｒｏＳｅ情報送信方法は、以下のモニタリングプロセスをさらに含んでよい。
【０２９５】
１８０１において、第２の端末はメッセージ１を第２のＰｒｏＳｅエンティティに送信し、ここで、メッセージ１は第１の情報と、第４の識別情報と、第１のアプリケーション識別情報とを保持し、第１の情報は第３の識別情報または第６の識別情報を含む。
【０２９６】
１８０２において、第２のＰｒｏＳｅエンティティはメッセージ１を受信する。
【０２９７】
１８０３において、第２のＰｒｏＳｅエンティティは第１のアプリケーション識別情報に従い、メッセージ２を第１のアプリケーションサーバに送信し、ここで、メッセージ２は第４の識別情報を保持する。
【０２９８】
１８０４において、第１のアプリケーションサーバはメッセージ２を受信する。
【０２９９】
任意で、第１の情報が第６の識別情報を含む場合、第２のＰｒｏＳｅエンティティは第３の識別情報を第２の端末にさらに割り当ててよく、メッセージ２は第３の識別情報をさらに保持してよく、その結果、第１のアプリケーションサーバは第３の識別情報を格納してよいが、本発明のこの実施形態においてそのような形態に特に限定されない。
【０３００】
１８０５において、第１のアプリケーションサーバは第４の識別情報に従い、第１の識別情報を決定する。
【０３０１】
１８０６において、第１のアプリケーションサーバはメッセージ３を第２のＰｒｏＳｅエンティティに送信し、ここで、メッセージ３は第１の識別情報を保持する。
【０３０２】
１８０７において、第２のＰｒｏＳｅエンティティはメッセージ３を受信する。
【０３０３】
任意で、第１のアプリケーションサーバは第３の識別情報に従い、第２の識別情報をさらに決定してよく、メッセージ３は第２の識別情報をさらに保持してよく、その結果、第２のＰｒｏＳｅエンティティは第２の識別情報を格納してよいが、本発明のこの実施形態においてそのような形態に特に限定されない。
【０３０４】
１８０８において、第２のＰｒｏＳｅエンティティはメッセージ４を第１のＰｒｏＳｅエンティティに送信し、ここで、メッセージ４は第１の識別情報を保持する。
【０３０５】
１８０９において、第１のＰｒｏＳｅエンティティはメッセージ４を受信する。
【０３０６】
１８１０において、第１のＰｒｏＳｅエンティティは第１の識別情報に従い、第４のコードワードを決定する。
【０３０７】
任意で、メッセージ４は第３の識別情報をさらに保持してよく、その結果、メッセージ４を受信した後、第１のＰｒｏＳｅエンティティは第３の識別情報を格納してよいが、本発明のこの実施形態においてそのような形態に特に限定されない。
【０３０８】
１８１１において、第１のＰｒｏＳｅエンティティはメッセージ５を第２のＰｒｏＳｅエンティティに送信し、ここで、メッセージ５は第４のコードワードを保持する。
【０３０９】
１８１２において、第２のＰｒｏＳｅエンティティはメッセージ５を受信する。
【０３１０】
１８１３において、第２のＰｒｏＳｅエンティティはメッセージ６を第２の端末に送信し、ここで、メッセージ６は第４のコードワードを保持する。
【０３１１】
１８１４において、第２の端末はメッセージ６を受信し、第４のコードワードを格納する。
【０３１２】
段階１８０１から段階１８１４までの特定の実装方式については、実施形態１での対応する段階についての関連する記載へ参照がなされてよく、本発明のこの実施形態において詳細は繰り返し記載しない。
【０３１３】
さらに、図１９に示される通り、第２の端末が第１の端末によってブロードキャストされる第４のコードワードを取得する（段階１６０１）前、本発明のこの実施形態において提供されるＰｒｏＳｅ情報送信方法は、以下のブロードキャストプロセスをさらに含んでよい。
【０３１４】
１９０１。第１の端末はメッセージ１を第１のＰｒｏＳｅエンティティに送信し、ここで、メッセージ１は第１の識別情報および第１のアプリケーション識別情報を保持する。
【０３１５】
１９０２において、第１のＰｒｏＳｅエンティティはメッセージ１を受信する。
【０３１６】
１９０３において、第１のＰｒｏＳｅエンティティはメッセージ２を第１のアプリケーションサーバに送信し、ここで、メッセージ２は第１の識別情報を保持する。
【０３１７】
１９０４において、第１のアプリケーションサーバはメッセージ２を受信し、第１のアプリケーションサーバは第１の識別情報に従い、第１の端末が第１のアプリケーションへのブロードキャストの実行が許容されていることを決定する。
【０３１８】
１９０５において、第１のアプリケーションサーバはメッセージ３を第１のＰｒｏＳｅエンティティに送信し、ここで、メッセージ３は、第１のアプリケーションサーバが第１の端末に第１のアプリケーションへのブロードキャストの実行を許容することを示すために使用される。
【０３１９】
１９０６において、第１のＰｒｏＳｅエンティティはメッセージ３を受信する。
【０３２０】
１９０７において、第１のＰｒｏＳｅエンティティはメッセージ４を第１の端末に送信し、ここで、メッセージ４は、第１のＰｒｏＳｅエンティティが第１の端末に第１のアプリケーションへのブロードキャストの実行を許容することを示すために使用される。
【０３２１】
１９０８において、第１の端末はメッセージ４を受信し、第４のコードワードをブロードキャストする。
【０３２２】
段階１９０１から段階１９０８までの特定の実装方式については、実施形態１での対応する段階についての関連する記載へ参照がなされてよく、本発明のこの実施形態において詳細は繰り返し記載しない。
【０３２３】
任意で、図２０に示される通り、第２の端末が第１の端末によってブロードキャストされる第４のコードワードを取得する（段階１６０１）前に、本発明のこの実施形態において提供されるＰｒｏＳｅ情報送信方法は、以下のブロードキャストプロセスをさらに含んでよい。
【０３２４】
２００１において、第１の端末はメッセージ１を第１のＰｒｏＳｅエンティティに送信し、ここで、メッセージ１は第１の識別情報と、第２の識別情報と、第１のアプリケーション識別情報とを保持する。
【０３２５】
２００２において、第１のＰｒｏＳｅエンティティはメッセージ１を受信する。
【０３２６】
２００３において、第１のＰｒｏＳｅエンティティはメッセージ２を第１のアプリケーションサーバに送信し、ここで、メッセージ２は第２の識別情報を保持する。
【０３２７】
２００４において、第１のアプリケーションサーバはメッセージ２を受信し、第２の識別情報に従い、第１の端末が第１のアプリケーションへのブロードキャストの実行を許容されていることを決定する。
【０３２８】
２００５において、第１のアプリケーションサーバはメッセージ３を第１のＰｒｏＳｅエンティティに送信し、ここで、メッセージ３は、第１のアプリケーションサーバが第１の端末に第１のアプリケーションへのブロードキャストの実行を許容されていることを示すために使用される。
【０３２９】
２００６において、第１のＰｒｏＳｅエンティティはメッセージ３を受信する。
【０３３０】
２００７において、第１のＰｒｏＳｅエンティティはメッセージ４を第１の端末に送信し、ここで、メッセージ４は、第１のＰｒｏＳｅエンティティが第１の端末に第１のアプリケーションへのブロードキャストの実行を許容することを示すために使用される。
【０３３１】
２００８において、第１の端末はメッセージ４を受信し、第４のコードワードをブロードキャストする。
【０３３２】
段階２００１から段階２００８までの特定の実装方式については、実施形態１での対応する段階についての関連する記載へ参照がなされてよく、本発明のこの実施形態において詳細は繰り返し記載しない。
【０３３３】
任意で、図２１に示される通り、第２の端末が第１の端末によってブロードキャストされる第４のコードワードを取得する（段階１６０１）前に、本発明のこの実施形態において提供されるＰｒｏＳｅ情報送信方法は、以下のブロードキャストプロセスをさらに含んでよい。
【０３３４】
２１０１において、第１の端末はメッセージ１を第１のＰｒｏＳｅエンティティに送信し、ここで、メッセージ１は第７の識別情報と、第２の識別情報と、第１のアプリケーション識別情報とを保持する。
【０３３５】
２１０２において、第１のＰｒｏＳｅエンティティはメッセージ１を受信する。
【０３３６】
２１０３において、第１のＰｒｏＳｅエンティティは、第１の識別情報と第４のコードワードとを第１の端末に割り当てる。
【０３３７】
２１０４において、第１のＰｒｏＳｅエンティティはメッセージ２を第１のアプリケーションサーバに送信し、ここで、メッセージ２は第２の識別情報および第１の識別情報を保持する。
【０３３８】
２１０５において、第１のアプリケーションサーバはメッセージ２を受信し、第２の識別情報に従い、第１の端末が第１のアプリケーションへのブロードキャストの実行を許容されていることを決定する。
【０３３９】
２１０６において、第１のアプリケーションサーバはメッセージ３を第１のＰｒｏＳｅエンティティに送信し、ここで、メッセージ３は第１のアプリケーションサーバが第１の端末に第１のアプリケーションへのブロードキャストの実行を許容することを示すために使用される。
【０３４０】
２１０７において、第１のＰｒｏＳｅエンティティはメッセージ３を受信する。
【０３４１】
２１０８において、第１のＰｒｏＳｅエンティティはメッセージ４を第１の端末に送信し、ここで、メッセージ４は第４のコードワードを保持し、メッセージ４は、第１のＰｒｏＳｅエンティティが第１の端末に第１のアプリケーションへのブロードキャストの実行を許容することを示すために使用される。
【０３４２】
２１０９において、第１の端末はメッセージ４を受信し、第４のコードワードをブロードキャストする。
【０３４３】
段階２１０１から段階２１０９までの特定の実装方式については、実施形態１での対応する段階についての関連する記載へ参照がなされてよく、本発明のこの実施形態において詳細は繰り返し記載しない。
【０３４４】
この実施形態は実施形態１の特定の説明であり、従って、この実施形態で実現可能な技術的効果については、上記の説明に参照がなされてよく、ここに詳細は繰り返し記載しない。
［実施形態３］
【０３４５】
本発明のこの実施形態は、ＰｒｏＳｅ情報送信方法を提供し、それは一例として、第１の端末と、第２の端末と、第１のＰｒｏＳｅエンティティと、第２のＰｒｏＳｅエンティティと、第１のアプリケーションサーバとの間のやり取りを使用して具体的に記載される。図２２Ａおよび図２２Ｂに示される通り、方法は以下の複数の段階を含む。
【０３４６】
２２０１において、第２の端末は第１の端末によってブロードキャストされる第１のコードワードを取得する。
【０３４７】
２２０２において、第２の端末は、第１のコードワードが事前格納されたコードワードに合致する場合、メッセージ１を第２のＰｒｏＳｅエンティティに送信し、ここで、メッセージ１は第１のコードワードを保持する。
【０３４８】
２２０３において、第２のＰｒｏＳｅエンティティはメッセージ１を受信する。
【０３４９】
２２０４において、第２のＰｒｏＳｅエンティティは第１のコードワードに従い、第２の識別情報を決定する。
【０３５０】
２２０５において、第１のＰｒｏＳｅエンティティはメッセージ２を第１のアプリケーションサーバに送信し、ここで、メッセージ２は第２の識別情報を保持する。
【０３５１】
２２０６において、第１のアプリケーションサーバはメッセージ２を受信し、第２の識別情報に従い、第１のアプリケーションユーザのブロードキャストリクエストが許容されていることを決定する。
【０３５２】
２２０７において、第１のアプリケーションサーバはメッセージ３を第２のＰｒｏＳｅエンティティに送信し、ここで、メッセージ３は、第１のアプリケーションユーザのブロードキャストリクエストが許容されていることを決定する。
【０３５３】
２２０８において、第２のＰｒｏＳｅエンティティはメッセージ３を受信する。
【０３５４】
２２０９において、第２のＰｒｏＳｅエンティティはメッセージ４を第２の端末に送信し、ここで、メッセージ４は第２の識別情報を保持し、第２の識別情報は第１のアプリケーションユーザを検出するよう命令するために使用される。
【０３５５】
２２１０において、第２の端末はメッセージ４を受信する。
【０３５６】
２２１１において、第２のＰｒｏＳｅエンティティはメッセージ５を第１のＰｒｏＳｅエンティティに送信し、ここで、メッセージ５は第１の識別情報と、第１のアプリケーション識別情報と、第４の識別情報とを保持する。
【０３５７】
２２１２において、第１のＰｒｏＳｅエンティティはメッセージ５を受信し、ここで、第１の識別情報および第１のアプリケーション識別情報は、第１のアプリケーションユーザの検出を命令するために使用される。
【０３５８】
２２１３において、第１のＰｒｏＳｅエンティティはメッセージ６を第１のアプリケーションサーバに送信し、ここで、メッセージ６は第４の識別情報を保持する。
【０３５９】
２２１４において、第１のアプリケーションサーバはメッセージ６を受信し、第４の識別情報に従い、アプリケーションレイヤでの第２のアプリケーションユーザのユーザ情報を取得する。
【０３６０】
２２１５において、第１のアプリケーションサーバはメッセージ７を第１のＰｒｏＳｅエンティティに送信し、ここで、メッセージ７はアプリケーションレイヤでの第２のアプリケーションユーザのユーザ情報を保持する。
【０３６１】
２２１６において、第１のＰｒｏＳｅエンティティはメッセージ７を受信する。
【０３６２】
２２１７において、第１のＰｒｏＳｅエンティティはメッセージ８を第１の端末に送信し、ここで、メッセージ８は第４の識別情報を保持し、第４の識別情報は、第１のアプリケーションユーザが第２のアプリケーションユーザによって検出されることを示すために使用される。
【０３６３】
２２１８において、第１の端末はメッセージ８を受信する。
【０３６４】
段階２２０１から段階２２１８までの特定の実装方式については、実施形態１での対応する段階についての関連する記載へ参照がなされてよく、本発明のこの実施形態において詳細は繰り返し記載しない。
【０３６５】
さらに、図２３Ａおよび図２３Ｂに示される通り、第２の端末が第１の端末によってブロードキャストされる第１のコードワードを取得する（段階２２０１）前に、本発明のこの実施形態で提供されるＰｒｏＳｅ情報送信方法は以下の複数の段階をさらに含んでよい。
【０３６６】
２３０１において、第２の端末はメッセージ１を第２のＰｒｏＳｅエンティティに送信し、ここで、メッセージ１は第３の識別情報および第１のアプリケーション識別情報を保持する。
【０３６７】
２３０２において、第２のＰｒｏＳｅエンティティはメッセージ１を受信する。
【０３６８】
２３０３において、第２のＰｒｏＳｅエンティティは第３の識別情報および第１のアプリケーション識別情報に従い、第４の識別情報を決定する。
【０３６９】
２３０４において、第２のＰｒｏＳｅエンティティはメッセージ２を第１のアプリケーションサーバに送信し、ここで、メッセージ２は第４の識別情報を保持する。
【０３７０】
２３０５において、第１のアプリケーションサーバはメッセージ２を受信する。
【０３７１】
２３０６において、第１のアプリケーションサーバは第４の識別情報に従い、第１の識別情報と第２の識別情報との間の対応関係を決定する。
【０３７２】
２３０７において、第１のアプリケーションサーバはメッセージ３を第２のＰｒｏＳｅエンティティに送信し、ここで、メッセージ３は第１の識別情報と第２の識別情報との間の対応関係を保持する。
【０３７３】
２３０８において、第２のＰｒｏＳｅエンティティはメッセージ３を受信する。
【０３７４】
２３０９において、第２のＰｒｏＳｅエンティティはメッセージ４を第１のＰｒｏＳｅエンティティに送信し、ここで、メッセージ４は第１の識別情報および第１のアプリケーション識別情報を保持する。
【０３７５】
２３１０において、第１のＰｒｏＳｅエンティティはメッセージ４を受信する。
【０３７６】
２３１１において、第１のＰｒｏＳｅエンティティは、第１の識別情報および第１のアプリケーション識別情報に従い、第１のコードワードを決定する。
【０３７７】
２３１２において、第１のＰｒｏＳｅエンティティはメッセージ５を第２のＰｒｏＳｅエンティティに送信し、ここで、メッセージ５は第１のコードワードを保持する。
【０３７８】
２３１３において、第１のＰｒｏＳｅエンティティはメッセージ５を受信する。
【０３７９】
２３１４において、第１のＰｒｏＳｅエンティティはメッセージ６を第２の端末に送信し、ここで、メッセージ６は第１のコードワードを保持する。
【０３８０】
２３１５において、第２の端末はメッセージ６を受信し、第１のコードワードを格納する。
【０３８１】
段階２３０１から段階２３１５までの特定の実装方式については、実施形態１での対応する段階についての関連する記載へ参照がなされてよく、本発明のこの実施形態において詳細は繰り返し記載しない。
【０３８２】
さらに、図２４に示される通り、第２の端末が第１の端末によってブロードキャストされる第１のコードワードを取得する（段階２２０１）前、本発明のこの実施形態で提供されるＰｒｏＳｅ情報送信方法は、以下の複数の段階をさらに含んでよい。
【０３８３】
２４０１において、第１の端末はメッセージ１を第１のＰｒｏＳｅエンティティに送信し、ここで、メッセージ１は第１の識別情報および第１のアプリケーション識別情報を保持する。
【０３８４】
２４０２において、第１のＰｒｏＳｅエンティティはメッセージ１を受信する。
【０３８５】
２４０３において、第１のＰｒｏＳｅエンティティは第１の識別情報および第１のアプリケーション識別情報に従い、第１のコードワードを第２の識別情報に割り当てる。
【０３８６】
２４０４において、第１のＰｒｏＳｅエンティティメッセージ２を第１のアプリケーションサーバに送信し、ここで、メッセージ２は第２の識別情報を保持する。
【０３８７】
２４０５において、第１のアプリケーションサーバはメッセージ２を受信し、第２の識別情報に従い、第１のアプリケーションユーザのブロードキャストリクエストが許容されることを決定する。
【０３８８】
２４０６において、第１のアプリケーションサーバはメッセージ３を第２のＰｒｏＳｅエンティティに送信し、ここで、メッセージ３は、第１のアプリケーションユーザのブロードキャストリクエストが許容されることを示すために使用される。
【０３８９】
２４０７において、第１のＰｒｏＳｅエンティティはメッセージ３を受信する。
【０３９０】
２４０８において、第１のＰｒｏＳｅエンティティはメッセージ４を第１の端末に送信し、ここで、メッセージ４は第１のコードワードを保持する。
【０３９１】
２４０９において、第１の端末はメッセージ４を受信する。
【０３９２】
２４１０において、第１の端末は第１のコードワードをブロードキャストする。
【０３９３】
段階２４０１から段階２４１０までの特定の実装方式については、実施形態１での対応する段階についての関連する記載へ参照がなされてよく、本発明のこの実施形態において詳細は繰り返し記載しない。
【０３９４】
任意で、図２５に示される通り、第２の端末が第１の端末によってブロードキャストされる第１のコードワードを取得する（段階２２０１）前に、本発明のこの実施形態で提供されるＰｒｏＳｅ情報送信方法は、以下の複数の段階をさらに含んでよい。
【０３９５】
２５０１において、第１のアプリケーションサーバはメッセージ１を第２のＰｒｏＳｅエンティティに送信し、ここで、メッセージ１は第１の識別情報と、第２の識別情報と、第１のアプリケーション識別情報と、第３の識別情報との間の対応関係を保持する。
【０３９６】
２５０２において、第２のＰｒｏＳｅエンティティはメッセージ１を受信する。
【０３９７】
２５０３において、第２のＰｒｏＳｅエンティティはメッセージ２を第１のＰｒｏＳｅエンティティに送信し、ここで、メッセージ２は第１の識別情報および第１のアプリケーション識別情報を保持する。
【０３９８】
２５０４において、第１のＰｒｏＳｅエンティティはメッセージ２を受信する。
【０３９９】
２５０５において、第１のＰｒｏＳｅエンティティは第１の識別情報および第１のアプリケーション識別情報に従い、第１のコードワードを決定する。
【０４００】
２５０６において、第１のＰｒｏＳｅエンティティはメッセージ３を第２のＰｒｏＳｅエンティティに送信し、ここで、メッセージ３は第１のコードワードを保持する。
【０４０１】
２５０７において、第２のＰｒｏＳｅエンティティはメッセージ３を受信する。
【０４０２】
２５０８において、第２のＰｒｏＳｅエンティティはメッセージ４を第２の端末に送信し、ここで、メッセージ４は第１のコードワードを保持する。
【０４０３】
２５０９において、第２の端末はメッセージ４を受信する。
【０４０４】
２５１０において、第２の端末はメッセージ５を第２のＰｒｏＳｅエンティティに送信し、ここで、メッセージ５はメッセージ４の応答メッセージである。
【０４０５】
２５１１において、第２のＰｒｏＳｅエンティティはメッセージ５を受信する。
【０４０６】
２５１２において、第２のＰｒｏＳｅエンティティはメッセージ６を第１のアプリケーションサーバに送信し、ここで、メッセージ６はメッセージ１の応答メッセージである。
【０４０７】
２５１３において、第１のアプリケーションサーバはメッセージ６を受信する。
【０４０８】
段階２５０１から段階２５１３までの特定の実装方式については、実施形態１での対応する段階についての関連する記載へ参照がなされてよく、本発明のこの実施形態において詳細は繰り返し記載しない。
【０４０９】
さらに、図２６に示される通り、第２の端末が第１の端末によってブロードキャストされる第１のコードワードを取得する（段階２２０１）前に、本発明のこの実施形態で提供されるＰｒｏＳｅ情報送信方法は、以下の複数の段階をさらに含んでよい。
【０４１０】
２６０１において、第１のアプリケーションサーバはメッセージ１を第１のＰｒｏＳｅエンティティに送信し、ここで、メッセージ１は第１の識別情報および第１のアプリケーション識別情報を保持する。
【０４１１】
２６０２において、第１のＰｒｏＳｅエンティティはメッセージ１を受信する。
【０４１２】
２６０３において、第１のＰｒｏＳｅエンティティは第１の識別情報および第１のアプリケーション識別情報に従い、第１のコードワードを第２の識別情報に割り当てる。
【０４１３】
２６０４において、第１のＰｒｏＳｅエンティティはメッセージ２を第１の端末に送信し、ここで、メッセージ２は第１のコードワードを保持する。
【０４１４】
２６０５において、第１の端末はメッセージ２を受信する。
【０４１５】
２６０６において、第１の端末はメッセージ３を第１のＰｒｏＳｅエンティティに送信し、ここで、メッセージ３はメッセージ２の応答メッセージである。
【０４１６】
２６０７において、第１のＰｒｏＳｅエンティティはメッセージ３を受信する。
【０４１７】
２６０８において、第１のＰｒｏＳｅエンティティはメッセージ４を第１のアプリケーションサーバに送信し、ここで、メッセージ４はメッセージ１の応答メッセージである。
【０４１８】
２６０９において、第１のアプリケーションサーバはメッセージ４を受信する。
【０４１９】
２６１０において、第１の端末は第１のコードワードをブロードキャストする。
【０４２０】
段階２６１０と、段階２６０６から段階２６０９とまでの間に順番の限定はないことに留意すべきである。段階２６１０は、段階２６０６から段階２６０９までの前に実行されてよく、または段階２６１０は段階２６０６から段階２６０９までの後に実行されてよいが、本発明のこの実施形態でそのような形態に特に限定されない。
【０４２１】
段階２６０１から段階２６１０までの特定の実装方式については、実施形態１での対応する段階についての関連する記載へ参照がなされてよく、本発明のこの実施形態において詳細は繰り返し記載しない。
【０４２２】
この実施形態は実施形態１の特定の説明であり、従って、この実施形態で実現可能な技術的効果については、上記の説明に参照がなされてよく、ここに詳細は繰り返し記載しない。
［実施形態４］
【０４２３】
本発明のこの実施形態は、図２７に具体的に示される、第２のＰｒｏＳｅエンティティ２７００を提供する。第２のＰｒｏＳｅエンティティ２７００は、受信ユニット２７０１と、送信ユニット２７０２と、取得ユニット２７０３と、を含む。
【０４２４】
受信ユニット２７０１は第２の端末によって送信される第１のメッセージを受信するよう構成され、ここで、第１のメッセージは第２のＰｒｏＳｅエンティティ２７００に第２の識別情報を取得するよう命令するために使用される。
【０４２５】
取得ユニット２７０３は第２の識別情報を取得するよう構成される。
【０４２６】
送信ユニット２７０２は第２のメッセージを第２の端末に送信するよう構成され、ここで、第２のメッセージは第２の識別情報を保持する。
【０４２７】
第２の識別情報は第２の端末によって検出される第１のアプリケーションユーザを示すために使用される。
【０４２８】
任意で、第２のメッセージは第１のアプリケーション識別情報をさらに保持してよく、ここで、第１のアプリケーション識別情報は第１のアプリケーションのアプリケーション識別情報であり、第１のアプリケーション識別情報は第２の識別情報に対応する第１のアプリケーションを示すために使用される。
【０４２９】
可能な実装方式において、第１のメッセージは第４のコードワードおよび第１のアプリケーション識別情報を保持する。
【０４３０】
取得ユニット２７０３は、第３のメッセージを第１のＰｒｏＳｅエンティティに送信するよう具体的に構成され、ここで、第３のメッセージは第４のコードワードおよび第１のアプリケーション識別情報を保持し、その結果、第１のＰｒｏＳｅエンティティは第４のコードワードおよび第１のアプリケーション識別情報に対応する第２の識別情報を取得し、取得ユニット２７０３は、第１のＰｒｏＳｅエンティティによって送信される第４のメッセージを受信するよう具体的に構成され、ここで第４のメッセージは第２の識別情報を保持する。
【０４３１】
任意で、第４のメッセージは第１のアプリケーション識別情報をさらに保持してよく、ここで、第１のアプリケーション識別情報は、第２の識別情報に対応する第１のアプリケーションを示すために使用される。
【０４３２】
さらに、受信ユニット２７０１は、第２の端末によって送信される第１のメッセージを受信する前に、第２の端末によって送信される第５のメッセージを受信するようさらに構成され、ここで、第５のメッセージは、第２のＰｒｏＳｅエンティティ２７００に第４のコードワードを取得するよう命令するために使用される。
【０４３３】
取得ユニット２７０３は、第４のコードワードを取得するようさらに構成される。
【０４３４】
送信ユニット２７０２は、第６のメッセージを第２の端末に送信するようさらに構成され、ここで、第６のメッセージは第４のコードワードを保持する。
【０４３５】
可能な実装方式において、第５のメッセージは第３の識別情報および第１のアプリケーション識別情報を保持する。
【０４３６】
取得ユニット２７０３は第１のアプリケーション識別情報に従い、第７のメッセージを第１のアプリケーションサーバに送信するよう具体的に構成され、ここで、第７のメッセージは第３の識別情報を保持し、取得ユニット２７０３は第１のアプケーションサーバによって送信される第８のメッセージを受信するよう具体的に構成され、ここで、第８のメッセージは第１の識別情報を保持し、第１の識別情報は第１のＰｒｏＳｅエンティティによって第１の端末に割り当てられる一時的な端末識別情報であり、取得ユニット２７０３は第９のメッセージを第１のＰｒｏＳｅエンティティに送信するよう具体的に構成され、ここで、第９のメッセージは第１の識別情報を保持し、取得ユニット２７０３は第１のＰｒｏＳｅエンティティによって送信される第１０のメッセージを受信するよう具体的に構成され、ここで、第１０のメッセージは第４のコードワードを保持する。
【０４３７】
別の可能な実装方式において、第５のメッセージは第１の情報と、第４の識別情報と、第１のアプリケーション識別情報とを保持し、ここで、第１の情報は第３の識別情報または第６の識別情報を含む。
【０４３８】
取得ユニット２７０３は、第１のアプリケーション識別情報に従い、第７のメッセージを第１のアプリケーションサーバに送信するよう具体的に構成され、ここで、第７のメッセージは第４の識別情報を保持し、取得ユニット２７０３は第１のアプリケーションサーバによって送信される第８のメッセージを受信するよう具体的に構成され、ここで、第８のメッセージは第１の識別情報を保持し、第１の識別情報は第１のＰｒｏＳｅエンティティによって第１の端末に割り当てられる一時的な端末識別情報であり、取得ユニット２７０３は第９のメッセージを第１のＰｒｏＳｅエンティティに送信するよう具体的に構成され、ここで、第９のメッセージは第１の識別情報を保持し、取得ユニット２７０３は第１のＰｒｏＳｅエンティティによって送信される第１０のメッセージを受信するよう具体的に構成され、ここで、第１０のメッセージは第４のコードワードを保持する。
【０４３９】
可能な実装方式において、第１のメッセージは第１のコードワードを保持してよい。
【０４４０】
取得ユニット２７０３は第１のコードワードに従い、第２の識別情報を取得するよう具体的に構成される。
【０４４１】
さらに、送信ユニット２７０２は、第２のメッセージを第２の端末に送信する前に、第３のメッセージを第１のアプリケーションサーバに送信するようさらに構成され、ここで、第３のメッセージは第２の識別情報を保持し、第２の識別情報は、第１のアプリケーションサーバが第１のアプリケーションユーザのブロードキャストリクエストが許容されることを決定する基礎である。
【０４４２】
受信ユニット２７０１は、第１のアプリケーションサーバによって送信される第４のメッセージを受信するようさらに構成され、ここで、第４のメッセージは、第１のアプリケーションユーザのブロードキャストリクエストが許容されることを示す。
【０４４３】
さらに、送信ユニット２７０２は、第２のメッセージを第２の端末に送信した後、第５のメッセージを第１のＰｒｏＳｅエンティティに送信するようさらに構成され、ここで、第５のメッセージは第１の識別情報と、第１のアプリケーション識別情報と、第４の識別情報とを保持し、第１の識別情報は、第１のＰｒｏＳｅエンティティによって第１の端末に割り当てられる一時的な端末識別情報であり、第１のアプリケーション識別情報は、第１のアプリケーションのアプリケーション識別情報であり、第４の識別情報は第１のアプリケーションサーバによって第２のアプリケーションユーザに割り当てられるアプリケーションユーザ識別情報であり、第２のアプリケーションユーザは、第２の端末の第１のアプリケーションのユーザである。
【０４４４】
さらに、図２８に示される通り、第２のＰｒｏＳｅエンティティは、決定ユニット２７０４をさらに含む。
【０４４５】
受信ユニット２７０１は、第１のメッセージを受信する前に、第２の端末によって送信される第６のメッセージを受信するようさらに構成され、ここで、第６のメッセージは第３の識別情報および第１のアプリケーション識別情報を保持する。
【０４４６】
決定ユニット２７０４は第３の識別情報および第１のアプリケーション識別情報に従い、第４の識別情報を決定するよう構成される。
【０４４７】
送信ユニット２７０２は、第７のメッセージを第１のアプリケーションサーバに送信するようさらに構成され、ここで、第７のメッセージは第４の識別情報を保持する。
【０４４８】
受信ユニット２７０１は第１のアプリケーションサーバによって送信される第８のメッセージを受信するようさらに構成され、ここで、第８のメッセージは第１の識別情報と第２の識別情報との間の対応関係を保持し、第１の識別情報と第２の識別情報との間の対応関係は第４の識別情報に従い、第１のアプリケーションサーバによって決定される。
【０４４９】
送信ユニット２７０２は、第９のメッセージを第１のＰｒｏＳｅエンティティに送信するようさらに構成され、ここで、第９のメッセージは第１の識別情報および第１のアプリケーション識別情報を保持する。
【０４５０】
受信ユニット２７０１は第１のＰｒｏＳｅエンティティによって送信される第１０のメッセージを受信するようさらに構成され、ここで、第１０のメッセージは第１のコードワードを保持し、第１のコードワードは第１の識別情報および第１のアプリケーション識別情報に従い、第１のＰｒｏＳｅエンティティによって決定される。
【０４５１】
送信ユニット２７０２は、第１１のメッセージを第２の端末に送信するようさらに構成され、ここで、第１１のメッセージは第１のコードワードを保持する。
【０４５２】
任意で、受信ユニット２７０１は、第１のメッセージを受信する前に、第１のアプリケーションサーバによって送信される第６のメッセージを受信するようさらに構成され、ここで、第６のメッセージは第１の識別情報および第２の識別情報の間の対応関係と、第１のアプリケーション識別情報と、第３の識別情報とを保持する。
【０４５３】
送信ユニット２７０２は、第７のメッセージを第１のＰｒｏＳｅエンティティに送信するようさらに構成され、ここで、第７のメッセージは第１の識別情報および第１のアプリケーション識別情報を保持する。
【０４５４】
受信ユニット２７０１は、第１のＰｒｏＳｅエンティティによって送信される第８のメッセージを受信するようさらに構成され、ここで、第８のメッセージは第１のコードワードを保持し、第１のコードワードは第１の識別情報および第１のアプリケーション識別情報に従い、第１のＰｒｏＳｅエンティティによって決定される。
【０４５５】
送信ユニット２７０２は、第９のメッセージを第２の端末に送信するようさらに構成され、ここで、第９のメッセージは第１のコードワードを保持する。
【０４５６】
本発明のこの実施形態における第２のＰｒｏＳｅエンティティ、第１のＰｒｏＳｅエンティティ、第１の端末、第２の端末、第２の識別情報、第１のアプリケーションユーザ、第１のアプリケーション識別情報、第４のコードワード、第３の識別情報、第４の識別情報、および第６の識別情報といった名称の関連する意味については、上記の共通の説明部分への参照がなされてよく、本発明のこの実施形態において詳細は繰り返し記載しない。
【０４５７】
本発明のこの実施形態で提供される第２のＰｒｏＳｅエンティティ２７００の複数のユニットおよびモジュールの中でも、送信ユニット２７０２は具体的に送信部を使用して実装されてよい。受信ユニット２７０１は具体的に受信部を使用して実装されてよい。取得ユニット２７０３および決定ユニット２７０４は具体的にプロセッサを使用することによって実装されてよく、ここで、受信部と、プロセッサと、送信部とは互いに通信可能であり、それは本発明のこの実施形態において特に限定されないことに留意すべきである。
【０４５８】
具体的には、第２のＰｒｏＳｅエンティティ２７００を使用することによって実行されるＰｒｏＳｅ情報送信方法については、実施形態１から実施形態３までの説明に参照がなされてよく、それについては本発明のこの実施形態で繰り返し記載しない。
【０４５９】
この実施形態において第２のＰｒｏＳｅエンティティは、上記の方法を実行するために使用可能であり、従って、第２のＰｒｏＳｅエンティティによって実現される技術的効果については、上記の実施形態での説明に参照がなされてよく、詳細はここで繰り返し記載しない。
［実施形態５］
【０４６０】
本発明のこの実施形態は、図２９に具体的に示される第２の端末２９００を提供する。第２の端末２９００は、取得ユニット２９０１と、送信ユニット２９０２と、受信ユニット２９０３と、検出ユニット２９０４とを含む。
【０４６１】
取得ユニット２９０１は、第１の端末によってブロードキャストされる第４のコードワードを取得するよう構成される。
【０４６２】
送信ユニット２９０２は、第４のコードワードが事前格納されたコードワードに合致する場合、第１のメッセージを第２のＰｒｏＳｅエンティティに送信するよう構成され、ここで、第１のメッセージは第４のコードワードおよび第１のアプリケーション識別情報を保持する。
【０４６３】
受信ユニット２９０３は、第２のＰｒｏＳｅエンティティによって送信される第２のメッセージを受信するよう構成され、ここで、第２のメッセージは第２の識別情報を保持する。
【０４６４】
第２の識別情報は、第２の端末によって検出される第１のアプリケーションユーザを示すために使用される。
【０４６５】
検出ユニット２９０４は第２の識別情報に従い、第１のアプリケーションユーザを検出するよう構成される。
【０４６６】
すなわち、検出ユニット２９０４は第２の識別情報に従い、第１のアプリケーションユーザが第２の端末の近くにいることを確認するよう構成される。
【０４６７】
任意で、第２のメッセージは第１のアプリケーション識別情報をさらに保持し、ここで、第１のアプリケーション識別情報は、第２の識別情報に対応する第１のアプリケーションを示すために使用される。
【０４６８】
さらに、送信ユニット２９０２は、第４のコードワードが事前格納されたコードワードに合致する場合および取得ユニット２９０１が第１の端末によってブロードキャストされる第４のコードワードを取得する前に、第３のメッセージを第２のＰｒｏＳｅエンティティに送信するようさらに構成され、ここで、第３のメッセージは第３の識別情報および第１のアプリケーション識別情報を保持する。
【０４６９】
受信ユニット２９０３は、第２のＰｒｏＳｅエンティティによって送信される第４のメッセージを受信するようさらに構成され、ここで、第４のメッセージは第４のコードワードを保持する。
【０４７０】
任意で、送信ユニット２９０２は、第４のコードワードが事前格納されたコードワードに合致する場合および取得ユニット２９０１が第１の端末によってブロードキャストされる第４のコードワードを取得する前に、第３のメッセージを第２のＰｒｏＳｅエンティティに送信するようさらに構成され、ここで、第３のメッセージは第１の情報と、第４の識別情報と、第１のアプリケーション識別情報とを保持し、第１の情報は第３の識別情報または第６の識別情報を含む。
【０４７１】
受信ユニット２９０３は、第２のＰｒｏＳｅエンティティによって送信される第４のメッセージを受信するようさらに構成され、ここで、第４のメッセージは第４のコードワードを保持する。
【０４７２】
本発明のこの実施形態における第１の端末、第２の端末、第４のコードワード、第１のアプリケーション識別情報、第２のＰｒｏＳｅエンティティ、第２の識別情報、第１のアプリケーションユーザ、および第３の識別情報といった名称の関連する意味については、上記の共通の説明部分への参照がなされてよく、本発明のこの実施形態において詳細は繰り返し記載しない。
【０４７３】
本発明のこの実施形態において提供される第２の端末２９００の複数のユニットおよびモジュールの中でも、取得ユニット２９０１および検出ユニット２９０４は具体的にプロセッサを使用することによって実装されてよい。送信ユニット２９０２は具体的に送信部を使用することによって実装されてよい。受信ユニット２９０３は具体的に受信部を使用することによって実装されてよい。ここで、プロセッサ、受信部、送信部は互いに通信可能であるが、本発明のこの実施形態においてそのような形態に特に限定されないことに留意すべきである。
【０４７４】
具体的に、第２の端末２９００を使用することによって実行されるＰｒｏＳｅ情報送信方法については、実施形態１または実施形態２の説明に参照がなされてよく、それについては本発明のこの実施形態において繰り返し記載しない。
【０４７５】
この実施形態における第２の端末は、上記の方法を実行するために使用可能であり、従って、第２の端末によって実現可能な技術的効果については、上記の実施形態での説明に参照がなされてよく、詳細はここで繰り返し記載しない。
［実施形態６］
【０４７６】
本発明のこの実施形態は、第２の端末３０００を提供する。第２の端末３０００は、取得ユニット３００１と、送信ユニット３００２と、受信ユニット３００３とを含む。
【０４７７】
取得ユニット３００１は、第１の端末によってブロードキャストされる第１のコードワードを取得するよう構成される。
【０４７８】
送信ユニット３００２は、第１のコードワードが事前格納されたコードワードに合致する場合、第１のメッセージを第２のＰｒｏＳｅエンティティに送信するよう構成され、ここで、第１のメッセージは第１のコードワードを保持する。
【０４７９】
受信ユニット３００３は、第２のＰｒｏＳｅエンティティによって送信される第２のメッセージを受信するよう構成され、ここで、第２のメッセージは第２の識別情報を保持し、第２の識別情報は第１のコードワードに従い、第２のＰｒｏＳｅエンティティによって決定され、第２の識別情報は第１のアプリケーションユーザを検出するよう命令するために使用される。
【０４８０】
さらに、送信ユニット３００２は、第１のコードワードが事前格納されたコードワードに合致する場合、および取得ユニット３００１が第１の端末によってブロードキャストされる第１のコードワードを取得する前に、第３のメッセージを第２のＰｒｏＳｅエンティティに送信するようさらに構成され、ここで、第３のメッセージは第３の識別情報および第１のアプリケーション識別情報を保持する。
【０４８１】
受信ユニット３００３は第２のＰｒｏＳｅエンティティによって送信される第４のメッセージを受信するようさらに構成され、ここで、第４のメッセージは第１のコードワードを保持し、第１のコードワードは第３の識別情報および第１のアプリケーション識別情報に従い、第２のＰｒｏＳｅエンティティによって決定される。
【０４８２】
任意で、受信ユニット３００３は、取得ユニット３００１が第１のコードワードを取得する前に、アプリケーションサーバがトリガされる場合、第２のＰｒｏＳｅエンティティによって送信される第３のメッセージを受信するようさらに構成され、ここで、第３のメッセージは第１のコードワードを保持する。
【０４８３】
さらに、送信ユニット３００２は、受信ユニット３００３が第２のＰｒｏＳｅエンティティによって送信される第３のメッセージを受信した後、第４のメッセージを第２のＰｒｏＳｅエンティティに送信するようさらに構成され、ここで、第４のメッセージは第３のメッセージの応答メッセージである。
【０４８４】
本発明のこの実施形態で提供される第２の端末３０００の複数のユニットおよびモジュールの中でも、取得ユニット３００１は具体的にプロセッサを使用することによって実装されてよく、送信ユニット３００２は具体的に送信部を使用することによって実装されてよく、受信ユニット３００３は具体的に受信部を使用することによって実装されてよく、ここで、プロセッサと、受信部と、送信部とは互いに通信可能であってよいが、本発明のこの実施形態においてそのような形態に特に限定されないことに留意すべきである。
【０４８５】
具体的に、第２の端末３０００を使用することによって実行されるＰｒｏＳｅ情報送信方法については、実施形態１または実施形態３の説明に参照がなされてよく、それについて本発明のこの実施形態において繰り返し記載しない。
【０４８６】
この実施形態における第２の端末は、上記の方法を実行するために使用可能であり、従って、第２の端末によって実現可能な技術的効果については、上記の実施形態での説明に参照がなされてよく、詳細はここで繰り返し記載しない。
【０４８７】
上記の説明は、本発明の特定の実装方式にすぎず、本発明の保護範囲を限定することを意図していない。本発明に開示される技術的範囲内において、当業者に容易に想起されるあらゆる変形および置き換えは、本発明の保護範囲に属するものとする。従って、本発明の保護範囲は、特許請求の範囲の保護範囲によって規定される。
【図１Ａ】
0006377760.tif 000003
【図１Ｂ】
0006377760.tif 000004
【図２】
0006377760.tif 000005
【図３】
0006377760.tif 000006
【図４】
0006377760.tif 000007
【図５】
0006377760.tif 000008
【図６】
0006377760.tif 000009
【図７】
0006377760.tif 000010
【図８】
0006377760.tif 000011
【図９】
0006377760.tif 000012
【図１０】
0006377760.tif 000013
【図１１】
0006377760.tif 000014
【図１２】
0006377760.tif 000015
【図１３】
0006377760.tif 000016
【図１４】
0006377760.tif 000017
【図１５】
0006377760.tif 000018
【図１６】
0006377760.tif 000019
【図１７】
0006377760.tif 000020
【図１８】
0006377760.tif 000021
【図１９】
0006377760.tif 000022
【図２０】
0006377760.tif 000023
【図２１】
0006377760.tif 000024
【図２２Ａ】
0006377760.tif 000025
【図２２Ｂ】
0006377760.tif 000026
【図２３Ａ】
0006377760.tif 000027
【図２３Ｂ】
0006377760.tif 000028
【図２４】
0006377760.tif 000029
【図２５】
0006377760.tif 000030
【図２６】
0006377760.tif 000031
【図２７】
0006377760.tif 000032
【図２８】
0006377760.tif 000033
【図２９】
0006377760.tif 000034